(57)【要約】  伝熱システム内部の伝熱組成物の圧力を監視する工程を含む閉ループ伝熱システムにおける漏洩の検出方法であって、圧力の降下が漏洩を指示する方法が開示される。蒸発器、圧縮機、凝縮器、膨張器および内部システム圧力を測定するためのデバイスを含む伝熱システムもまた開示される。システム圧力測定デバイスは、閉ループ熱システムの内部に配置される。内部システム圧力測定手段は、蒸発器と凝縮器との間、膨張器と蒸発器との間、圧縮機と凝縮器との間、または凝縮器と膨張器との間のいずれかに配置されてもよい。
2010530952.tif 000002
【特許請求の範囲】
【請求項１】
１回目に伝熱システム内部に配置された圧力測定デバイスで伝熱組成物の圧力を測定する工程と、１回目より後の２回目に伝熱組成物の圧力を測定する工程と、１回目に測定された圧力を２回目に測定された圧力と比較する工程とを含み、１回目から２回目への圧力の降下が漏洩を指示する、閉ループ伝熱システムにおける伝熱組成物の漏洩の検出方法。
【請求項２】
伝熱組成物が非共沸組成物を含む請求項１に記載の方法。
【請求項３】
伝熱組成物が、ハイドロフルオロカーボン、フルオロエーテル、フルオロオレフィン、炭化水素、ＣＦ３Ｉ、ＮＨ３、ＣＯ２、およびそれらの混合物からなる群から選択された少なくとも１種の化合物を含む請求項１に記載の方法。
【請求項４】
伝熱組成物が少なくとも１種のハイドロフルオロカーボンと少なくとも１種のフルオロオレフィンとを含む請求項１に記載の方法。
【請求項５】
ハイドロフルオロカーボンが、フルオロメタン（ＣＨ３Ｆ、ＨＦＣ−４１）、ジフルオロメタン（ＣＨ２Ｆ２、ＨＦＣ−３２）、トリフルオロメタン（ＣＨＦ３、ＨＦＣ−２３）、ペンタフルオロエタン（ＣＦ３ＣＨＦ２、ＨＦＣ−１２５）、１，１，２，２−テトラフルオロエタン（ＣＨＦ２ＣＨＦ２、ＨＦＣ−１３４）、１，１，１，２−テトラフルオロエタン（ＣＦ３ＣＨ２Ｆ、ＨＦＣ−１３４ａ）、１，１，１−トリフルオロエタン（ＣＦ３ＣＨ３、ＨＦＣ−１４３ａ）、１，１−ジフルオロエタン（ＣＨＦ２ＣＨ３、ＨＦＣ−１５２ａ）、フルオロエタン（ＣＨ３ＣＨ２Ｆ、ＨＦＣ−１６１）、１，１，１，２，２，３，３−ヘプタフルオロプロパン（ＣＦ３ＣＦ２ＣＨＦ２、ＨＦＣ−２２７ｃａ）、１，１，１，２，３，３，３−ヘプタフルオロプロパン（ＣＦ３ＣＨＦＣＦ３、ＨＦＣ−２２７ｅａ）、１，１，２，２，３，３−ヘキサフルオロプロパン（ＣＨＦ２ＣＦ２ＣＨＦ２、ＨＦＣ−２３６ｃａ）、１，１，１，２，２，３−ヘキサフルオロプロパン（ＣＦ３ＣＦ３ＣＨ２Ｆ、ＨＦＣ−２３６ｃｂ）、１，１，１，２，３，３−ヘキサフルオロプロパン（ＣＦ３ＣＨＦＣＨＦ２、ＨＦＣ−２３６ｅａ）、１，１，１，３，３，３−ヘキサフルオロプロパン（ＣＦ３ＣＨ２ＣＦ３、ＨＦＣ−２３６ｆａ）、１，１，２，２，３−ペンタフルオロプロパン（ＣＨＦ２ＣＦ２ＣＨ２Ｆ、ＨＦＣ−２４５ｃａ）、１，１，１，２，２−ペンタフルオロプロパン（ＣＦ３ＣＦ２ＣＨ３、ＨＦＣ−２４５ｃｂ）、１，１，２，３，３−ペンタフルオロプロパン（ＣＨＦ２ＣＨＦＣＨＦ２、ＨＦＣ−２４５ｅａ）、１，１，１，２，３−ペンタフルオロプロパン（ＣＦ３ＣＨＦＣＨ２Ｆ、ＨＦＣ−２４５ｅｂ）、１，１，１，３，３−ペンタフルオロプロパン（ＣＦ３ＣＨ２ＣＨＦ２、ＨＦＣ−２４５ｆａ）、１，２，２，３−テトラフルオロプロパン（ＣＨ２ＦＣＦ２ＣＨ２Ｆ、ＨＦＣ−２５４ｃａ）、１，１，２，２−テトラフルオロプロパン（ＣＨＦ２ＣＦ２ＣＨ３、ＨＦＣ−２５４ｃｂ）、１，１，２，３−テトラフルオロプロパン（ＣＨＦ２ＣＨＦＣＨ２Ｆ、ＨＦＣ−２５４ｅａ）、１，１，１，２−テトラフルオロプロパン（ＣＦ３ＣＨＦＣＨ３、ＨＦＣ−２５４ｅｂ）、１，１，３，３−テトラフルオロプロパン（ＣＨＦ２ＣＨ２ＣＨＦ２、ＨＦＣ−２５４ｆａ）、１，１，１，３−テトラフルオロプロパン（ＣＦ３ＣＨ２ＣＨ２Ｆ、ＨＦＣ−２５４ｆｂ）、１，１，１−トリフルオロプロパン（ＣＦ３ＣＨ２ＣＨ３、ＨＦＣ−２６３ｆｂ）、２，２−ジフルオロプロパン（ＣＨ３ＣＦ２ＣＨ３、ＨＦＣ−２７２ｃａ）、１，２−ジフルオロプロパン（ＣＨ２ＦＣＨＦＣＨ３、ＨＦＣ−２７２ｅａ）、１，３−ジフルオロプロパン（ＣＨ２ＦＣＨ２ＣＨ２Ｆ、ＨＦＣ−２７２ｆａ）、１，１−ジフルオロプロパン（ＣＨＦ２ＣＨ２ＣＨ３、ＨＦＣ−２７２ｆｂ）、２−フルオロプロパン（ＣＨ３ＣＨＦＣＨ３、ＨＦＣ−２８１ｅａ）、１−フルオロプロパン（ＣＨ２ＦＣＨ２ＣＨ３、ＨＦＣ−２８１ｆａ）、１，１，２，２，３，３，４，４−オクタフルオロブタン（ＣＨＦ２ＣＦ２ＣＦ２ＣＨＦ２、ＨＦＣ−３３８ｐｃｃ）、１，１，１，２，２，４，４，４−オクタフルオロブタン（ＣＦ３ＣＨ２ＣＦ２ＣＦ３、ＨＦＣ−３３８ｍｆ）、１，１，１，３，３−ペンタフルオロブタン（ＣＦ３ＣＨ２ＣＨＦ２、ＨＦＣ−３６５ｍｆｃ）、１，１，１，２，３，４，４，５，５，５−デカフルオロペンタン（ＣＦ３ＣＨＦＣＨＦＣＦ２ＣＦ３、ＨＦＣ−４３−１０ｍｅｅ）、および１，１，１，２，２，３，４，５，５，６，６，７，７，７−テトラデカフルオロヘプタン（ＣＦ３ＣＦ２ＣＨＦＣＨＦＣＦ２ＣＦ２ＣＦ３、ＨＦＣ−６３−１４ｍｅｅ）からなる群から選択された少なくとも１種の化合物を含む、請求項３に記載の方法。
【請求項６】
フルオロオレフィンが、
（ｉ）式Ｅ−もしくはＺ−Ｒ１ＣＨ＝ＣＨＲ２（式中、Ｒ１およびＲ２は、独立して、Ｃ１〜Ｃ６パーフルオロアルキル基、およびそれらの混合物である）のフルオロオレフィンと；
（ｉｉ）式シクロ−［ＣＸ＝ＣＹ（ＣＺＷ）ｎ−］（式中、Ｘ、Ｙ、Ｚ、およびＷは、独立して、ＨまたはＦであり、そしてｎは２〜５の整数、およびそれらの混合物である）の環状フルオロオレフィンと；
（ｉｉｉ）１，２，３，３，３−ペンタフルオロ−１−プロペン（ＣＨＦ＝ＣＦＣＦ３）、１，１，３，３，３−ペンタフルオロ−１−プロペン（ＣＦ２＝ＣＨＣＦ３）、１，１，２，３，３−ペンタフルオロ−１−プロペン（ＣＦ２＝ＣＦＣＨＦ２）、１，２，３，３−テトラフルオロ−１−プロペン（ＣＨＦ＝ＣＦＣＨＦ２）、２，３，３，３−テトラフルオロ−１−プロペン（ＣＨ２＝ＣＦＣＦ３）、１，３，３，３−テトラフルオロ−１−プロペン（ＣＨＦ＝ＣＨＣＦ３）、１，１，２，３−テトラフルオロ−１−プロペン（ＣＦ２＝ＣＦＣＨ２Ｆ）、１，１，３，３−テトラフルオロ−１−プロペン（ＣＦ２＝ＣＨＣＨＦ２）、１，２，３，３−テトラフルオロ−１−プロペン（ＣＨＦ＝ＣＦＣＨＦ２）、３，３，３−トリフルオロ−１−プロペン（ＣＨ２＝ＣＨＣＦ３）、２，３，３−トリフルオロ−１−プロペン（ＣＨＦ２ＣＦ＝ＣＨ２）；１，１，２−トリフルオロ−１−プロペン（ＣＨ３ＣＦ＝ＣＦ２）；１，２，３−トリフルオロ−１−プロペン（ＣＨ２ＦＣＦ＝ＣＦ２）；１，１，３−トリフルオロ−１−プロペン（ＣＨ２ＦＣＨ＝ＣＦ２）；１，３，３−トリフルオロ−１−プロペン（ＣＨＦ２ＣＨ＝ＣＨＦ）；１，１，１，２，３，４，４，４−オクタフルオロ−２−ブテン（ＣＦ３ＣＦ＝ＣＦＣＦ３）；１，１，２，３，３，４，４，４−オクタフルオロ−１−ブテン（ＣＦ３ＣＦ２ＣＦ＝ＣＦ２）；１，１，１，２，４，４，４−ヘプタフルオロ−２−ブテン（ＣＦ３ＣＦ＝ＣＨＣＦ３）；１，２，３，３，４，４，４−ヘプタフルオロ−１−ブテン（ＣＨＦ＝ＣＦＣＦ２ＣＦ３）；１，１，１，２，３，４，４−ヘプタフルオロ−２−ブテン（ＣＨＦ２ＣＦ＝ＣＦＣＦ３）；１，３，３，３−テトラフルオロ−２−（トリフルオロメチル）−１−プロペン（（ＣＦ３）２Ｃ＝ＣＨＦ）；１，１，３，３，４，４，４−ヘプタフルオロ−１−ブテン（ＣＦ２＝ＣＨＣＦ２ＣＦ３）；１，１，２，３，４，４，４−ヘプタフルオロ−１−ブテン（ＣＦ２＝ＣＦＣＨＦＣＦ３）；１，１，２，３，３，４，４−ヘプタフルオロ−１−ブテン（ＣＦ２＝ＣＦＣＦ２ＣＨＦ２）；２，３，３，４，４，４−ヘキサフルオロ−１−ブテン（ＣＦ３ＣＦ２ＣＦ＝ＣＨ２）；１，３，３，４，４，４−ヘキサフルオロ−１−ブテン（ＣＨＦ＝ＣＨＣＦ２ＣＦ３）；１，２，３，４，４，４−ヘキサフルオロ−１−ブテン（ＣＨＦ＝ＣＦＣＨＦＣＦ３）；１，２，３，３，４，４−ヘキサフルオロ−１−ブテン（ＣＨＦ＝ＣＦＣＦ２ＣＨＦ２）；１，１，２，３，４，４−ヘキサフルオロ−２−ブテン（ＣＨＦ２ＣＦ＝ＣＦＣＨＦ２）；１，１，１，２，３，４−ヘキサフルオロ−２−ブテン（ＣＨ２ＦＣＦ＝ＣＦＣＦ３）；１，１，１，２，４，４−ヘキサフルオロ−２−ブテン（ＣＨＦ２ＣＨ＝ＣＦＣＦ３）；１，１，１，３，４，４−ヘキサフルオロ−２−ブテン（ＣＦ３ＣＨ＝ＣＦＣＨＦ２）；１，１，２，３，３，４−ヘキサフルオロ−１−ブテン（ＣＦ２＝ＣＦＣＦ２ＣＨ２Ｆ）；１，１，２，３，４，４−ヘキサフルオロ−１−ブテン（ＣＦ２＝ＣＦＣＨＦＣＨＦ２）；３，３，３−トリフルオロ−２−（トリフルオロメチル）−１−プロペン（ＣＨ２＝Ｃ（ＣＦ３）２）；１，１，１，２，４−ペンタフルオロ−２−ブテン（ＣＨ２ＦＣＨ＝ＣＦＣＦ３）；１，１，１，３，４−ペンタフルオロ−２−ブテン（ＣＦ３ＣＨ＝ＣＦＣＨ２Ｆ）；３，３，４，４，４−ペンタフルオロ−１−ブテン（ＣＦ３ＣＦ２ＣＨ＝ＣＨ２）；１，１，１，４，４−ペンタフルオロ−２−ブテン（ＣＨＦ２ＣＨ＝ＣＨＣＦ３）；１，１，１，２，３−ペンタフルオロ−２−ブテン（ＣＨ３ＣＦ＝ＣＦＣＦ３）；２，３，３，４，４−ペンタフルオロ−１−ブテン（ＣＨ２＝ＣＦＣＦ２ＣＨＦ２）；１，１，２，４，４−ペンタフルオロ−２−ブテン（ＣＨＦ２ＣＦ＝ＣＨＣＨＦ２）；１，１，２，３，３−ペンタフルオロ−１−ブテン（ＣＨ３ＣＦ２ＣＦ＝ＣＦ２）；１，１，２，３，４−ペンタフルオロ−２−ブテン（ＣＨ２ＦＣＦ＝ＣＦＣＨＦ２）；１，１，３，３，３−ペンタフルオロ−２−メチル−１−プロペン（ＣＦ２＝Ｃ（ＣＦ３）（ＣＨ３））；２−（ジフルオロメチル）−３，３，３−トリフルオロ−１−プロペン（ＣＨ２＝Ｃ（ＣＨＦ２）（ＣＦ３））；２，３，４，４，４−ペンタフルオロ−１−ブテン（ＣＨ２＝ＣＦＣＨＦＣＦ３）；１，２，４，４，４−ペンタフルオロ−１−ブテン（ＣＨＦ＝ＣＦＣＨ２ＣＦ３）；１，３，４，４，４−ペンタフルオロ−１−ブテン（ＣＨＦ＝ＣＨＣＨＦＣＦ３）；１，３，３，４，４−ペンタフルオロ−１−ブテン（ＣＨＦ＝ＣＨＣＦ２ＣＨＦ２）；１，２，３，４，４−ペンタフルオロ−１−ブテン（ＣＨＦ＝ＣＦＣＨＦＣＨＦ２）；３，３，４，４−テトラフルオロ−１−ブテン（ＣＨ２＝ＣＨＣＦ２ＣＨＦ２）；１，１−ジフルオロ−２−（ジフルオロメチル）−１−プロペン（ＣＦ２＝Ｃ（ＣＨＦ２）（ＣＨ３））；１，３，３，３−テトラフルオロ−２−メチル−１−プロペン（ＣＨＦ＝Ｃ（ＣＦ３）（ＣＨ３））；３，３−ジフルオロ−２−（ジフルオロメチル）−１−プロペン（ＣＨ２＝Ｃ（ＣＨＦ２）２）；１，１，１，２−テトラフルオロ−２−ブテン（ＣＦ３ＣＦ＝ＣＨＣＨ３）；１，１，１，３−テトラフルオロ−２−ブテン（ＣＨ３ＣＦ＝ＣＨＣＦ３）；１，１，１，２，３，４，４，５，５，５−デカフルオロ−２−ペンテン（ＣＦ３ＣＦ＝ＣＦＣＦ２ＣＦ３）；１，１，２，３，３，４，４，５，５，５−デカフルオロ−１−ペンテン（ＣＦ２＝ＣＦＣＦ２ＣＦ２ＣＦ３）；１，１，１，４，４，４−ヘキサフルオロ−２−（トリフルオロメチル）−２−ブテン（（ＣＦ３）２Ｃ＝ＣＨＣＦ３）；１，１，１，２，４，４，５，５，５−ノナフルオロ−２−ペンテン（ＣＦ３ＣＦ＝ＣＨＣＦ２ＣＦ３）；１，１，１，３，４，４，５，５，５−ノナフルオロ−２−ペンテン（ＣＦ３ＣＨ＝ＣＦＣＦ２ＣＦ３）；１，２，３，３，４，４，５，５，５−ノナフルオロ−１−ペンテン（ＣＨＦ＝ＣＦＣＦ２ＣＦ２ＣＦ３）；１，１，３，３，４，４，５，５，５−ノナフルオロ−１−ペンテン（ＣＦ２＝ＣＨＣＦ２ＣＦ２ＣＦ３）；１，１，２，３，３，４，４，５，５−ノナフルオロ−１−ペンテン（ＣＦ２＝ＣＦＣＦ２ＣＦ２ＣＨＦ２）；１，１，２，３，４，４，５，５，５−ノナフルオロ−２−ペンテン（ＣＨＦ２ＣＦ＝ＣＦＣＦ２ＣＦ３）；１，１，１，２，３，４，４，５，５−ノナフルオロ−２−ペンテン（ＣＦ３ＣＦ＝ＣＦＣＦ２ＣＨＦ２）；１，１，１，２，３，４，５，５，５−ノナフルオロ−２−ペンテン（ＣＦ３ＣＦ＝ＣＦＣＨＦＣＦ３）；１，２，３，４，４，４−ヘキサフルオロ−３−（トリフルオロメチル）−１−ブテン（ＣＨＦ＝ＣＦＣＦ（ＣＦ３）２）；１，１，２，４，４，４−ヘキサフルオロ−３−（トリフルオロメチル）−１−ブテン（ＣＦ２＝ＣＦＣＨ（ＣＦ３）２）；１，１，１，４，４，４−ヘキサフルオロ−２−（トリフルオロメチル）−２−ブテン（ＣＦ３ＣＨ＝Ｃ（ＣＦ３）２）；１，１，３，４，４，４−ヘキサフルオロ−３−（トリフルオロメチル）−１−ブテン（ＣＦ２＝ＣＨＣＦ（ＣＦ３）２）；２，３，３，４，４，５，５，５−オクタフルオロ−１−ペンテン（ＣＨ２＝ＣＦＣＦ２ＣＦ２ＣＦ３）；１，２，３，３，４，４，５，５−オクタフルオロ−１−ペンテン（ＣＨＦ＝ＣＦＣＦ２ＣＦ２ＣＨＦ２）；３，３，４，４，４−ペンタフルオロ−２−（トリフルオロメチル）−１−ブテン（ＣＨ２＝Ｃ（ＣＦ３）ＣＦ２ＣＦ３）；１，１，４，４，４−ペンタフルオロ−３−（トリフルオロメチル）−１−ブテン（ＣＦ２＝ＣＨＣＨ（ＣＦ３）２）；１，３，４，４，４−ペンタフルオロ−３−（トリフルオロメチル）−１−ブテン（ＣＨＦ＝ＣＨＣＦ（ＣＦ３）２）；１，１，４，４，４−ペンタフルオロ−２−（トリフルオロメチル）−１−ブテン（ＣＦ２＝Ｃ（ＣＦ３）ＣＨ２ＣＦ３）；３，４，４，４−テトラフルオロ−３−（トリフルオロメチル）−１−ブテン（（ＣＦ３）２ＣＦＣＨ＝ＣＨ２）；３，３，４，４，５，５，５−ヘプタフルオロ−１−ペンテン（ＣＦ３ＣＦ２ＣＦ２ＣＨ＝ＣＨ２）；２，３，３，４，４，５，５−ヘプタフルオロ−１−ペンテン（ＣＨ２＝ＣＦＣＦ２ＣＦ２ＣＨＦ２）；１，１，３，３，５，５，５−ヘプタフルオロ−１−ブテン（ＣＦ２＝ＣＨＣＦ２ＣＨ２ＣＦ３）；１，１，１，２，４，４，４−ヘプタフルオロ−３−メチル−２−ブテン（ＣＦ３ＣＦ＝Ｃ（ＣＦ３）（ＣＨ３））；２，４，４，４−テトラフルオロ−３−（トリフルオロメチル）−１−ブテン（ＣＨ２＝ＣＦＣＨ（ＣＦ３）２）；１，４，４，４−テトラフルオロ−３−（トリフルオロメチル）−１−ブテン（ＣＨＦ＝ＣＨＣＨ（ＣＦ３）２）；１，１，１，４−テトラフルオロ−２−（トリフルオロメチル）−２−ブテン（ＣＨ２ＦＣＨ＝Ｃ（ＣＦ３）２）；１，１，１，３−テトラフルオロ−２−（トリフルオロメチル）−２−ブテン（ＣＨ３ＣＦ＝Ｃ（ＣＦ３）２）；１，１，１−トリフルオロ−２−（トリフルオロメチル）−２−ブテン（（ＣＦ３）２Ｃ＝ＣＨＣＨ３）；３，４，４，５，５，５−ヘキサフルオロ−２−ペンテン（ＣＦ３ＣＦ２ＣＦ＝ＣＨＣＨ３）；１，１，１，４，４，４−ヘキサフルオロ−２−メチル−２−ブテン（ＣＦ３Ｃ（ＣＨ
３）＝ＣＨＣＦ３）；３，３，４，５，５，５−ヘキサフルオロ−１−ペンテン（ＣＨ２＝ＣＨＣＦ２ＣＨＦＣＦ３）；４，４，４−トリフルオロ−２−（トリフルオロメチル）−１−ブテン（ＣＨ２＝Ｃ（ＣＦ３）ＣＨ２ＣＦ３）；１，１，２，３，３，４，４，５，５，６，６，６−ドデカフルオロ１−ヘキセン（ＣＦ３（ＣＦ２）３ＣＦ＝ＣＦ２）；１，１，１，２，２，３，４，５，５，６，６，６−ドデカフルオロ−３−ヘキセン（ＣＦ３ＣＦ２ＣＦ＝ＣＦＣＦ２ＣＦ３）；１，１，１，４，４，４−ヘキサフルオロ−２，３−ビス（トリフルオロメチル）−２−ブテン（（ＣＦ３）２Ｃ＝Ｃ（ＣＦ３）２）；１，１，１，２，３，４，５，５，５−ノナフルオロ−４−（トリフルオロメチル）−２−ペンテン（（ＣＦ３）２ＣＦＣＦ＝ＣＦＣＦ３）；１，１，１，４，４，５，５，５−オクタフルオロ−２−（トリフルオロメチル）−２−ペンテン（（ＣＦ３）２Ｃ＝ＣＨＣ２Ｆ５）；１，１，１，３，４，５，５，５−オクタフルオロ−４−（トリフルオロメチル）−２−ペンテン（（ＣＦ３）２ＣＦＣＦ＝ＣＨＣＦ３）；３，３，４，４，５，５，６，６，６−ノナフルオロ−１−ヘキセン（ＣＦ３ＣＦ２ＣＦ２ＣＦ２ＣＨ＝ＣＨ２）；４，４，４−トリフルオロ−３，３−ビス（トリフルオロメチル）−１−ブテン（ＣＨ２＝ＣＨＣ（ＣＦ３）３）；１，１，１，４，４，４−ヘキサフルオロ−３−メチル−２−（トリフルオロメチル）−２−ブテン（（ＣＦ３）２Ｃ＝Ｃ（ＣＨ３）（ＣＦ３））；２，３，３，５，５，５−ヘキサフルオロ−４−（トリフルオロメチル）−１−ペンテン（ＣＨ２＝ＣＦＣＦ２ＣＨ（ＣＦ３）２）；１，１，１，２，４，４，５，５，５−ノナフルオロ−３−メチル−２−ペンテン（ＣＦ３ＣＦ＝Ｃ（ＣＨ３）ＣＦ２ＣＦ３）；１，１，１，５，５，５−ヘキサフルオロ−４−（トリフルオロメチル）−２−ペンテン（ＣＦ３ＣＨ＝ＣＨＣＨ（ＣＦ３）２）；３，４，４，５，５，６，６，６−オクタフルオロ−２−ヘキセン（ＣＦ３ＣＦ２ＣＦ２ＣＦ＝ＣＨＣＨ３）；３，３，４，４，５，５，６，６−オクタフルオロ−１−ヘキセン（ＣＨ２＝ＣＨＣＦ２ＣＦ２ＣＦ２ＣＨＦ２）；１，１，１，４，４−ペンタフルオロ−２−（トリフルオロメチル）−２−ペンテン（（ＣＦ３）２Ｃ＝ＣＨＣＦ２ＣＨ３）；４，４，５，５，５−ペンタフルオロ−２−（トリフルオロメチル）−１−ペンテン（ＣＨ２＝Ｃ（ＣＦ３）ＣＨ２Ｃ２Ｆ５）；３，３，４，４，５，５，５−ヘプタフルオロ−２−メチル−１−ペンテン（ＣＦ３ＣＦ２ＣＦ２Ｃ（ＣＨ３）＝ＣＨ２）；４，４，５，５，６，６，６−ヘプタフルオロ−２−ヘキセン（ＣＦ３ＣＦ２ＣＦ２ＣＨ＝ＣＨＣＨ３）；４，４，５，５，６，６，６−ヘプタフルオロ−１−ヘキセン（ＣＨ２＝ＣＨＣＨ２ＣＦ２Ｃ２Ｆ５）；１，１，１，２，２，３，４−ヘプタフルオロ−３−ヘキセン（ＣＦ３ＣＦ２ＣＦ＝ＣＦＣ２Ｈ５）；４，５，５，５−テトラフルオロ−４−（トリフルオロメチル）−１−ペンテン（ＣＨ２＝ＣＨＣＨ２ＣＦ（ＣＦ３）２）；１，１，１，２，５，５，５−ヘプタフルオロ−４−メチル−２−ペンテン（ＣＦ３ＣＦ＝ＣＨＣＨ（ＣＦ３）（ＣＨ３））；１，１，１，３−テトラフルオロ−２−（トリフルオロメチル）−２−ペンテン（（ＣＦ３）２Ｃ＝ＣＦＣ２Ｈ５）；１，１，１，２，３，４，４，５，５，６，６，７，７，７−テトラデカフルオロ−２−ヘプテン（ＣＦ３ＣＦ＝ＣＦＣＦ２ＣＦ２Ｃ２Ｆ５）；１，１，１，２，２，３，４，５，５，６，６，７，７，７−テトラデカフルオロ−３−ヘプテン（ＣＦ３ＣＦ２ＣＦ＝ＣＦＣＦ２Ｃ２Ｆ５）；１，１，１，３，４，４，５，５，６，６，７，７，７−トリデカフルオロ−２−ヘプテン（ＣＦ３ＣＨ＝ＣＦＣＦ２ＣＦ２Ｃ２Ｆ５）；１，１，１，２，４，４，５，５，６，６，７，７，７−トリデカフルオロ−２−ヘプテン（ＣＦ３ＣＦ＝ＣＨＣＦ２ＣＦ２Ｃ２Ｆ５）；１，１，１，２，２，４，５，５，６，６，７，７，７−トリデカフルオロ−３−ヘプテン（ＣＦ３ＣＦ２ＣＨ＝ＣＦＣＦ２Ｃ２Ｆ５）；１，１，１，２，２，３，５，５，６，６，７，７，７−トリデカフルオロ−３−ヘプテン（ＣＦ３ＣＦ２ＣＦ＝ＣＨＣＦ２Ｃ２Ｆ５）；ペンタフルオロエチルトリフルオロビニルエーテル（ＣＦ２＝ＣＦＯＣＦ２ＣＦ３）、およびトリフルオロメチルトリフルオロビニルエーテル（ＣＦ２＝ＣＦＯＣＦ３）；ならびにそれらの混合物からなる群から選択されたフルオロオレフィンと
からなる群から選択された少なくとも１種の化合物を含み、
かつ、前記フルオロオレフィンが上記の（ｉ）、（ｉｉ）、および（ｉｉｉ）からの任意の化合物の任意の混合物であってもよい、請求項３に記載の方法。
【請求項７】
炭化水素が、プロパン、ｎ−ブタン、イソブタン、シクロブタン、ｎ−ペンタン、２−メチルブタン、２，２−ジメチルプロパン、シクロペンタン、ｎ−ヘキサン、２−メチルペンタン、２，２−ジメチルブタン、２，３−ジメチルブタン、３−メチルペンタン、シクロヘキサン、ｎ−ヘプタン、シクロヘプタン、およびそれらの混合物からなる群から選択された少なくとも１種の化合物を含む、請求項３に記載の方法。
【請求項８】
伝熱組成物が、ＨＦＣ−３２、ＨＦＣ−１２５、ＨＦＣ−１３４ａ、ＨＦＣ−１５２ａ、ＨＦＣ−１６１、およびそれらの混合物からなる群からの少なくとも１種の化合物を含む、請求項３に記載の方法。
【請求項９】
伝熱組成物が、ＨＦＣ−１２２５ｙｅ、ＨＦＣ−１２３４ｙｆ、ＨＦＣ−１２３４ｚｅ、ＨＦＣ−１２４３ｚｆ、およびそれらの混合物からなる群からの少なくとも１種の化合物を含む、請求項３に記載の方法。
【請求項１０】
伝熱組成物が、
ＨＦＣ−３２、ＨＦＣ−１２５、およびＨＦＣ−１３４ａ；
ＨＦＣ−３２およびＨＦＣ−１２２５ｙｅ；
ＨＦＣ−１２３４ｙｆおよびＣＦ３Ｉ；
ＨＦＣ−３２、ＨＦＣ−１３４ａ、およびＨＦＣ−１２２５ｙｅ；
ＨＦＣ−３２、ＨＦＣ−１２２５ｙｅ、およびＨＦＣ−１２３４ｙｆ；
ＨＦＣ−１２５、ＨＦＣ−１２２５ｙｅ、およびＨＦＣ−１２３４ｙｆ；
ＨＦＣ−３２、ＨＦＣ−１２２５ｙｅ、ＨＦＣ−１２３４ｙｆ、およびＣＦ３Ｉ；
ＨＦＣ−１３４ａ、ＨＦＣ−１２２５ｙｅ、およびＨＦＣ−１２３４ｙｆ；
ＨＦＣ−１３４ａおよびＨＦＣ−１２３４ｙｆ；
ＨＦＣ−１２５およびＨＦＣ−１２３４ｙｆ；
ＨＦＣ−１２５、ＨＦＣ−１３４ａ、およびｎ−ブタン；
ＨＦＣ−１２５、ＨＦＣ−１３４ａ、およびジメチルエーテル；
ＨＦＣ−１２５、ＨＦＣ−１３４ａ、およびイソブタン；
ＨＦＣ−１３４ａおよびＨＦＣ−２２７ｅａ；
ＨＦＣ−１２５、ＨＦＣ−１３４ａ、ｎ−ブタン、イソブタンおよびイソペンタン；
ＨＦＣ−１３４ａ、ＨＦＣ−３２、およびＨＦＣ−２２７ｅａ；
ＨＦＣ−１２５、ＨＦＣ−１３４ａ、ｎ−ブタン、およびイソペンタン；
ＨＦＣ−３２、ＨＦＣ−１２５、ＨＦＣ−１４３ａ、およびＨＦＣ−１３４ａ；
ＨＦＣ−１２５、ＨＦＣ−１４３ａ、プロパン、およびイソブタン；
ＨＦＣ−１２５、ＨＦＣ−１３４ａ、ｎ−ブタン、およびｎ−ペンタン；
ＨＦＣ−３２、ＨＦＣ−１２５、およびＨＦＣ−１２２５ｙｅ；
ＨＦＣ−３２およびＨＦＣ−１２３４ｙｆ；
ＨＦＣ−３２、ＨＦＣ−１２５、およびＨＦＣ−１２３４ｙｆ；
ＨＦＣ−３２、ＨＦＣ−１３４ａ、およびＨＦＣ−１２３４ｙｆ；
ＨＦＣ−３２、ＨＦＣ−１２５、ＨＦＣ−１３４ａ、およびＨＦＣ−１２３４ｙｆ；
ジメチルエーテルおよびＨＦＣ−１２３４ｙｆ；
ＨＦＣ−１５２ａおよびＨＦＣ−１２３４ｙｆ；
ＨＦＣ−１５２ａ、ＨＦＣ−１３４ａ、およびＨＦＣ−１２３４ｙｆ；
ＨＦＣ−１５２ａ、ｎ−ブタン、およびＨＦＣ−１２３４ｙｆ；
ＨＦＣ−１３４ａ、プロパン、およびＨＦＣ−１２３４ｙｆ；
ＨＦＣ−１２５、ＨＦＣ−１５２ａ、およびＨＦＣ−１２３４ｙｆ；
ＨＦＣ−１２５、ＨＦＣ−１３４ａ、およびＨＦＣ−１２３４ｙｆ；
ＨＦＣ−３２、ＨＦＣ−１２３４ｚｅ、およびＨＦＣ−１２３４ｙｆ；
ＨＦＣ−１２５、ＨＦＣ−１２３４ｚｅ、およびＨＦＣ−１２３４ｙｆ；
ＨＦＣ−３２、ＨＦＣ−１２３４ｚｅ、ＨＦＣ−１２３４ｙｆ、およびＣＦ３Ｉ；
ＨＦＣ−１３４ａ、ＨＦＣ−１２３４ｚｅ、およびＨＦＣ−１２３４ｙｆ；
ＨＦＣ−１３４ａおよびＨＦＣ−１２３４ｚｅ；
ＨＦＣ−３２およびＨＦＣ−１２３４ｚｅ；
ＨＦＣ−１２５およびＨＦＣ−１２３４ｚｅ；
ＨＦＣ−３２、ＨＦＣ−１２５、およびＨＦＣ−１２３４ｚｅ；
ＨＦＣ−３２、ＨＦＣ−１３４ａ、およびＨＦＣ−１２３４ｚｅ；
ジメチルエーテルおよびＨＦＣ−１２３４ｚｅ；
ＨＦＣ−１５２ａおよびＨＦＣ−１２３４ｚｅ；
ＨＦＣ−１５２ａ、ＨＦＣ−１３４ａ、およびＨＦＣ−１２３４ｚｅ；
ＨＦＣ−１５２ａ、ｎ−ブタン、およびＨＦＣ−１２３４ｚｅ；
ＨＦＣ−１３４ａ、プロパン、およびＨＦＣ−１２３４ｚｅ；
ＨＦＣ−１２５、ＨＦＣ−１５２ａ、およびＨＦＣ−１２３４ｚｅ；ならびに
ＨＦＣ−１２５、ＨＦＣ−１３４ａ、およびＨＦＣ−１２３４ｚｅ
からなる群から選択された混合物を含む、請求項３に記載の方法。
【請求項１１】
内圧が、システム内部に据え付けられた圧力センサーによって測定される、請求項１に記載の方法。
【請求項１２】
（ａ）入口と出口とを有する、ガス状伝熱組成物を圧縮するための圧縮機；
（ｂ）入口と出口とを有し、前記入口が接続ライン経由で前記圧縮機の前記出口に接続されている、前記ガス状伝熱組成物を液体へ凝縮させるための凝縮器；
（ｃ）入口と出口とを有し、前記入口が接続ライン経由で前記凝縮器の前記出口に接続されている、前記液体伝熱組成物を膨張させるための膨張器；
（ｄ）入口と出口とを有し、前記入口が接続ライン経由で前記膨張器に接続され、そして前記出口が接続ライン経由で前記圧縮機の前記入口に接続されている、前記膨張した液体伝熱組成物を気化させるための蒸発器；および
（ｅ）前記伝熱システム内部に配置された、前記伝熱システムの内圧を測定するための手段
を含む閉ループ伝熱システム。
【請求項１３】
内圧測定手段が蒸発器と圧縮機との間の接続ラインに配置されている、請求項１１に記載の伝熱システム。
【発明の詳細な説明】
【技術分野】
【０００１】
関連出願の相互参照
本出願は２００７年６月２１日出願の米国仮特許出願第６０／９４５，４６９号明細書の優先権を主張するものである。
【０００２】
本開示は、閉ループ伝熱システムからの伝熱組成物の漏洩の検出方法に関する。特に、システム内部の圧力変化を監視して漏洩を指示するために圧力監視デバイスを閉ループシステム内部に設置することに関する。
【背景技術】
【０００３】
移動式および固定式冷凍、エアコン、およびヒートポンプシステムのために現在使用されている伝熱組成物は、単一成分組成物を含む。かかるシステムにおける伝熱組成物として、最も一般的には、１，１，１，２−テトラフルオロエタン（ＨＦＣ−１３４ａ）などのハイドロフルオロカーボンが使用される。システムからのハイドロフルオロカーボンの漏洩は一般に、システムが適切に作動しないときに限って、例えば、もはや冷却を提供しないエアコンで検出される。これは、大量の伝熱組成物を環境に放出し、漏洩の検出前にシステムの本質的に完全な破壊をもたらす。漏洩の早期検出は、排出を低減し、より信頼できる冷却性能を提供する上で有利であろう。
【発明の概要】
【発明が解決しようとする課題】
【０００４】
ある種の多成分混合物が後継の伝熱組成物として提案されており、または使用されている。これらの組成物の幾つかについて、特に漏洩が伝熱システムにおいてかなりの圧力変化をもたらす場合に、漏洩の早期検出のための新規方法が望ましい。
【課題を解決するための手段】
【０００５】
本開示は、閉ループ伝熱システム内部に配置された圧力監視デバイスで伝熱組成物の圧力を監視することを含む前記閉ループ伝熱システムにおける伝熱組成物の漏洩の検出方法であって、圧力の降下が漏洩を指示する方法を提供する。
【０００６】
かかる方法は、漏洩がかなりの圧力変化を生じさせるであろう、非共沸伝熱組成物の漏洩を検出するために特に有用である。これは、非共沸組成物が蒸発またはボイリングオフ中に分別蒸留されるからである。伝熱システムからの漏洩中に、この分別蒸留は、より低い沸騰（またはより高い蒸気圧）成分を先ず装置から漏洩させる。こうして、伝熱システム内部に残る伝熱組成物の蒸気圧は低下するであろう。この圧力の降下を測定し、漏洩の早期指示として用いることができる。
【０００７】
本開示は、圧縮機、凝縮器、膨張器、および蒸発器、ならびにシステムの内圧を測定するための閉ループシステム内部に配置された圧力測定デバイスを含む伝熱システムをさらに含む。圧力の降下は、システムにおける漏洩を指示するものである。一実施形態では、圧力測定デバイスは、蒸発器と圧縮機との接続ラインもしくはチュービングに、またはシステムの様々な要素間の接続ラインのいずれかに配置されてもよい。
【０００８】
前述の一般説明および以下の詳細な説明は、添付の特許請求の範囲に定義されるような、本発明を例示するおよび説明するものにすぎず、制限するものではない。
【図面の簡単な説明】
【０００９】
【図１】本発明に従った圧力測定デバイスを含む伝熱システムの略図である。
【発明を実施するための形態】
【００１０】
本開示は、閉ループ伝熱システム、およびかかるシステムの内圧を測定するための圧力測定デバイスを含む閉ループ伝熱システムにおける伝熱組成物の漏洩の検出方法を概して提供する。
【００１１】
用語の定義および明確化
以下に説明される実施形態の詳細を述べる前に、幾つかの用語が定義されるかまたは明確化される。
【００１２】
本明細書で用いるところでは、共沸組成物は、単一物質として挙動する２つ以上の物質の定沸点混合物を含む。共沸組成物を特徴づける一方法は、液体の部分蒸発または蒸留によって生み出された蒸気が、それがそれから蒸発するまたは蒸留される液体と同じ組成を有する、すなわち、混合物が組成変化なしに蒸留される／還流することである。定沸点組成物は、同じ化合物の非共沸混合物のそれと比べて、それらが最高沸点か最低沸点かのどちらかを示すので、共沸として特徴づけられる。共沸組成物は、システムの効率を低下させるかもしれない、運転中に伝熱システム内で分別蒸留されないであろう。さらに、共沸組成物は伝熱システムからの漏洩時に分別蒸留されないであろう。
【００１３】
本明細書で用いるところでは、擬共沸組成物（一般に「共沸様組成物」とも言われる）は、単一物質と同じように挙動する２つ以上の物質の実質的に定沸点の液体混合物を含む。擬共沸組成物を特徴づける一方法は、液体の部分蒸発または蒸留によって生み出された蒸気が、それがそれから蒸発したまたは蒸留された液体と実質的に同じ組成を有する、すなわち、混合物が実質的な組成変化なしに蒸留される／還流することである。擬共沸組成物を特徴づける別の方法は、ある特定の温度での組成物のバブルポイント蒸気圧および露点蒸気圧が実質的に同じものであることである。本明細書で用いるところでは、組成物の５０重量パーセントが蒸発またはボイリングオフによってなど、除去された後に、元の組成物と元の組成物の５０重量パーセントが除去された後に残る組成物との間の蒸気圧の差が約１０パーセント未満である場合に組成物は擬共沸である。
【００１４】
本明細書で用いるところでは、非共沸組成物（一般に「非共沸性組成物」とも言われる）は、それが成分の単純混合物として挙動する、従って蒸発またはボイリングオフ中に分別蒸留されることを意味する、共沸ではないそしてまた擬共沸でもないものを含む。伝熱システムからの漏洩中に、この分別蒸留は、より低い沸点（より高い蒸気圧）の成分に先ず装置から漏洩させるであろう。こうして、伝熱システム内部に残る伝熱組成物の蒸気圧は低下するであろう。この圧力の降下を測定し、漏洩の早期指示として用いることができる。
【００１５】
本明細書で用いるところでは、伝熱システムは、伝熱組成物を利用する任意の冷凍システム、冷蔵庫、エアコンシステム、エアコン、ヒートポンプ、チラーなどであってもよい。
【００１６】
本明細書で用いるところでは、伝熱組成物は、熱を熱源からヒートシンクに運ぶために使用される組成物を含む。
【００１７】
本明細書で用いるところでは、冷媒は、組成物が液体から気体へおよび逆に相変化を受けるサイクルにおいて伝熱組成物として機能する化合物または化合物の混合物を含む。
【００１８】
本明細書で用いるところでは、用語「含む（ｃｏｍｐｒｉｓｅｓ）」、「含む（ｃｏｍｐｒｉｓｉｎｇ）」、「含まれる（ｉｎｃｌｕｄｅｓ）」、「をはじめとする（ｉｎｃｌｕｄｉｎｇ）」、「有する（ｈａｓ）」、「有する（ｈａｖｉｎｇ）」またはそれらの任意の他の変形は、非排他的な包含をカバーすることを意図される。例えば、要素のリストを含むプロセス、方法、物品、もしくは装置は、それらの要素のみに必ずしも限定されず、明確にリストされないか、またはかかるプロセス、方法、物品、もしくは装置に固有である他の要素を含んでもよい。さらに、相反する記載がない限り、「または」は、包含的な「または」を意味し、そして排他的な「または」を意味しない。例えば、条件ＡまたはＢは、次のいずれか１つで満たされる：Ａは真であり（または存在し）かつＢは偽である（存在しない）、Ａは偽であり（または存在せず）かつＢは真である（または存在する）、およびＡおよびＢの両方とも真である（または存在する）。
【００１９】
同様に、「ａ」または「ａｎ」の使用は、本明細書に記載される要素および成分を記載するために用いられる。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を包含する。
【００２０】
特に定義されない限り、本明細書に用いられるすべての技術的および科学的用語は、本発明が属する技術の当業者によって一般に理解されるものと同じ意味を有する。本明細書に記載されるものに類似のまたは等価の方法および材料を本発明の実施形態の実施または試験に用いることができるが、好適な方法および材料は以下に記載される。本明細書に言及されるすべての刊行物、特許出願、特許、および他の参考文献は、特定の節が言及されない限り、全体が参照により援用される。矛盾が生じた場合には、定義をはじめとして、本明細書が優先される。加えて、材料、方法、および実施例は例示的であるにすぎず、限定的であることを意図されない。
【００２１】
伝熱組成物
本発明の方法またはシステムにおいて使用される伝熱組成物は、ハイドロフルオロカーボン、フルオロエーテル、フルオロオレフィン、炭化水素、ＣＦ３Ｉ、ＮＨ３、ＣＯ２、および、前述の化合物の任意のものの混合物を意味する、それらの混合物からなる群から選択され少なくとも１種の化合物を含んでもよい。特定の一実施形態では、本発明の伝熱組成物は、少なくとも１種のハイドロフルオロカーボンと少なくとも１種のフルオロオレフィンとを含んでもよい。
【００２２】
ハイドロフルオロカーボンは、炭素、水素、およびフッ素を含有する少なくとも１種の飽和化合物を含む。１〜７個の炭素原子を有する、約−９０℃〜約８０℃の標準沸点を有するハイドロフルオロカーボンが特に有用である。ハイドロフルオロカーボンは、多数の製造業者から入手可能な市販製品であるか、または当該技術分野で公知の方法によって製造されてもよい。代表的なハイドロフルオロカーボン化合物には、フルオロメタン（ＣＨ３Ｆ、ＨＦＣ−４１）、ジフルオロメタン（ＣＨ２Ｆ２、ＨＦＣ−３２）、トリフルオロメタン（ＣＨＦ３、ＨＦＣ−２３）、ペンタフルオロエタン（ＣＦ３ＣＨＦ２、ＨＦＣ−１２５）、１，１，２，２−テトラフルオロエタン（ＣＨＦ２ＣＨＦ２、ＨＦＣ−１３４）、１，１，１，２−テトラフルオロエタン（ＣＦ３ＣＨ２Ｆ、ＨＦＣ−１３４ａ）、１，１，１−トリフルオロエタン（ＣＦ３ＣＨ３、ＨＦＣ−１４３ａ）、１，１−ジフルオロエタン（ＣＨＦ２ＣＨ３、ＨＦＣ−１５２ａ）、フルオロエタン（ＣＨ３ＣＨ２Ｆ、ＨＦＣ−１６１）、１，１，１，２，２，３，３−ヘプタフルオロプロパン（ＣＦ３ＣＦ２ＣＨＦ２、ＨＦＣ−２２７ｃａ）、１，１，１，２，３，３，３−ヘプタフルオロプロパン（ＣＦ３ＣＨＦＣＦ３、ＨＦＣ−２２７ｅａ）、１，１，２，２，３，３−ヘキサフルオロプロパン（ＣＨＦ２ＣＦ２ＣＨＦ２、ＨＦＣ−２３６ｃａ）、１，１，１，２，２，３−ヘキサフルオロプロパン（ＣＦ３ＣＦ３ＣＨ２Ｆ、ＨＦＣ−２３６ｃｂ）、１，１，１，２，３，３−ヘキサフルオロプロパン（ＣＦ３ＣＨＦＣＨＦ２、ＨＦＣ−２３６ｅａ）、１，１，１，３，３，３−ヘキサフルオロプロパン（ＣＦ３ＣＨ２ＣＦ３、ＨＦＣ−２３６ｆａ）、１，１，２，２，３−ペンタフルオロプロパン（ＣＨＦ２ＣＦ２ＣＨ２Ｆ、ＨＦＣ−２４５ｃａ）、１，１，１，２，２−ペンタフルオロプロパン（ＣＦ３ＣＦ２ＣＨ３、ＨＦＣ−２４５ｃｂ）、１，１，２，３，３−ペンタフルオロプロパン（ＣＨＦ２ＣＨＦＣＨＦ２、ＨＦＣ−２４５ｅａ）、１，１，１，２，３−ペンタフルオロプロパン（ＣＦ３ＣＨＦＣＨ２Ｆ、ＨＦＣ−２４５ｅｂ）、１，１，１，３，３−ペンタフルオロプロパン（ＣＦ３ＣＨ２ＣＨＦ２、ＨＦＣ−２４５ｆａ）、１，２，２，３−テトラフルオロプロパン（ＣＨ２ＦＣＦ２ＣＨ２Ｆ、ＨＦＣ−２５４ｃａ）、１，１，２，２−テトラフルオロプロパン（ＣＨＦ２ＣＦ２ＣＨ３、ＨＦＣ−２５４ｃｂ）、１，１，２，３−テトラフルオロプロパン（ＣＨＦ２ＣＨＦＣＨ２Ｆ、ＨＦＣ−２５４ｅａ）、１，１，１，２−テトラフルオロプロパン（ＣＦ３ＣＨＦＣＨ３、ＨＦＣ−２５４ｅｂ）、１，１，３，３−テトラフルオロプロパン（ＣＨＦ２ＣＨ２ＣＨＦ２、ＨＦＣ−２５４ｆａ）、１，１，１，３−テトラフルオロプロパン（ＣＦ３ＣＨ２ＣＨ２Ｆ、ＨＦＣ−２５４ｆｂ）、１，１，１−トリフルオロプロパン（ＣＦ３ＣＨ２ＣＨ３、ＨＦＣ−２６３ｆｂ）、２，２−ジフルオロプロパン（ＣＨ３ＣＦ２ＣＨ３、ＨＦＣ−２７２ｃａ）、１，２−ジフルオロプロパン（ＣＨ２ＦＣＨＦＣＨ３、ＨＦＣ−２７２ｅａ）、１，３−ジフルオロプロパン（ＣＨ２ＦＣＨ２ＣＨ２Ｆ、ＨＦＣ−２７２ｆａ）、１，１−ジフルオロプロパン（ＣＨＦ２ＣＨ２ＣＨ３、ＨＦＣ−２７２ｆｂ）、２−フルオロプロパン（ＣＨ３ＣＨＦＣＨ３、ＨＦＣ−２８１ｅａ）、１−フルオロプロパン（ＣＨ２ＦＣＨ２ＣＨ３、ＨＦＣ−２８１ｆａ）、１，１，２，２，３，３，４，４−オクタフルオロブタン（ＣＨＦ２ＣＦ２ＣＦ２ＣＨＦ２、ＨＦＣ−３３８ｐｃｃ）、１，１，１，２，２，４，４，４−オクタフルオロブタン（ＣＦ３ＣＨ２ＣＦ２ＣＦ３、ＨＦＣ−３３８ｍｆ）、１，１，１，３，３−ペンタフルオロブタン（ＣＦ３ＣＨ２ＣＨＦ２、ＨＦＣ−３６５ｍｆｃ）、１，１，１，２，３，４，４，５，５，５−デカフルオロペンタン（ＣＦ３ＣＨＦＣＨＦＣＦ２ＣＦ３、ＨＦＣ−４３−１０ｍｅｅ）、および１，１，１，２，２，３，４，５，５，６，６，７，７，７−テトラデカフルオロヘプタン（ＣＦ３ＣＦ２ＣＨＦＣＨＦＣＦ２ＣＦ２ＣＦ３、ＨＦＣ−６３−１４ｍｅｅ）が含まれるが、それらに限定されない。
【００２３】
幾つかの実施形態では、伝熱組成物はフルオロエーテルを含んでもよい。フルオロエーテルは、炭素、フッ素、酸素および場合により水素、塩素、臭素またはヨウ素を有する少なくとも１種の化合物を含む。フルオロエーテルは、商業的に入手可能であるか、または当該技術分野で公知の方法によって製造されてもよい。代表的なフルオロエーテルには、ノナフルオロメトキシブタン（Ｃ４Ｆ９ＯＣＨ３、任意のもしくはすべての可能な異性体またはそれらの混合物）；ノナフルオロエトキシブタン（Ｃ４Ｆ９ＯＣ２Ｈ５、任意のもしくはすべての可能な異性体またはそれらの混合物）；２−ジフルオロメトキシ−１，１，１，２−テトラフルオロエタン（ＨＦＯＣ−２３６ｅａＥβγ、またはＣＨＦ２ＯＣＨＦＣＦ３）；１，１−ジフルオロ−２−メトキシエタン（ＨＦＯＣ−２７２ｆｂＥβγ、ＣＨ３ＯＣＨ２ＣＨＦ２）；１，１，１，３，３，３−ヘキサフルオロ−２−（フルオロメトキシ）プロパン（ＨＦＯＣ−３４７ｍｍｚＥβγ、またはＣＨ２ＦＯＣＨ（ＣＦ３）２）；１，１，１，３，３，３−ヘキサフルオロ−２−メトキシプロパン（ＨＦＯＣ−３５６ｍｍｚＥβγ、またはＣＨ３ＯＣＨ（ＣＦ３）２）；１，１，１，２，２−ペンタフルオロ−３−メトキシプロパン（ＨＦＯＣ−３６５ｍｃＥγδ、またはＣＦ３ＣＦ２ＣＨ２ＯＣＨ３）；２−エトキシ−１，１，１，２，３，３，３−ヘプタフルオロプロパン（ＨＦＯＣ−４６７ｍｍｙＥβγ、またはＣＨ３ＣＨ２ＯＣＦ（ＣＦ３）２；およびそれらの混合物が含まれるが、それらに限定されない。
【００２４】
幾つかの実施形態では、伝熱組成物はフルオロオレフィンを含んでもよい。フルオロオレフィンは、２〜１２個の炭素原子の少なくとも１種の化合物を含み、別の実施形態ではフルオロオレフィンは３〜１０個の炭素原子の化合物を含み、さらに別の実施形態ではフルオロオレフィンは３〜７個の炭素原子の化合物を含む。代表的なフルオロオレフィンには、表１、表２、および表３にリストされるようなすべての化合物が含まれるが、それらに限定されない。
【００２５】
一実施形態では、フルオロオレフィンは、式Ｅ−もしくはＺ−Ｒ１ＣＨ＝ＣＨＲ２（式１）（式中、Ｒ１およびＲ２は、独立して、Ｃ１〜Ｃ６パーフルオロアルキル基である）を有する。Ｒ１およびＲ２基の例には、ＣＦ３、Ｃ２Ｆ５、ＣＦ２ＣＦ２ＣＦ３、ＣＦ（ＣＦ３）２、ＣＦ２ＣＦ２ＣＦ２ＣＦ３、ＣＦ（ＣＦ３）ＣＦ２ＣＦ３、ＣＦ２ＣＦ（ＣＦ３）２、Ｃ（ＣＦ３）３、ＣＦ２ＣＦ２ＣＦ２ＣＦ２ＣＦ３、ＣＦ２ＣＦ２ＣＦ（ＣＦ３）２、Ｃ（ＣＦ３）２Ｃ２Ｆ５、ＣＦ２ＣＦ２ＣＦ２ＣＦ２ＣＦ２ＣＦ３、ＣＦ（ＣＦ３）ＣＦ２ＣＦ２Ｃ２Ｆ５、およびＣ（ＣＦ３）２ＣＦ２Ｃ２Ｆ５が挙げられるが、それらに限定されない。一実施形態では、式１のフルオロオレフィンは分子中に少なくとも約４個の炭素原子を有する。別の実施形態では、式１のフルオロオレフィンは分子中に少なくとも約５個の炭素原子を有する。例示的な、比限定的な式１の化合物は表１に示される。
【００２６】
【表１】
2010530952.tif 000003
【００２７】
【表２】
2010530952.tif 000004
【００２８】
【表３】
2010530952.tif 000005
【００２９】
式１の化合物は、式Ｒ１Ｉのヨウ化パーフルオロアルキルを式Ｒ２ＣＨ＝ＣＨ２のパーフルオロアルキルトリヒドロオレフィンと接触させて式Ｒ１ＣＨ２ＣＨＩＲ２のトリヒドロヨードパーフルオロアルカンを形成することによって製造されてもよい。このトリヒドロヨードパーフルオロアルカンは次に脱ヨウ化水素化してＲ１ＣＨ＝ＣＨＲ２を形成することができる。
【００３０】
あるいはまた、式Ｒ２Ｉのヨウ化パーフルオロアルキルを式Ｒ１ＣＨ＝ＣＨ２のパーフルオロアルキルトリヒドロオレフィンと反応させることによって順繰りに形成された式Ｒ１ＣＨＩＣＨ２Ｒ２のトリヒドロヨードパーフルオロアルカンの脱ヨウ化水素によってＲ１ＣＨ＝ＣＨＲ２のオレフィンが製造されてもよい。
【００３１】
ヨウ化パーフルオロアルキルとパーフルオロアルキルトリヒドロオレフィンとの前記接触は、反応温度での反応体および生成物の自生圧力下で運転することができる好適な反応容器中で反応体を組み合わせることによって回分式モードで行われてもよい。好適な反応容器には、特にオーステナイト型のステンレススチール、ならびに商標Ｍｏｎｅｌ（登録商標）で販売される、Ｍｏｎｅｌ（登録商標）ニッケル−銅合金、商標Ｈａｓｔｅｌｌｏｙ（登録商標）で販売される、ニッケルベースの合金、および商標Ｉｎｃｏｎｅｌ（登録商標）で販売される、ニッケル−クロム合金などの周知の高ニッケル合金から製造されたものが含まれる。
【００３２】
あるいはまた、反応は、パーフルオロアルキルトリヒドロオレフィン反応体が反応温度でポンプなどの好適な添加装置を用いてヨウ化パーフルオロアルキル反応体に加えられる半回分式モードで行われてもよい。
【００３３】
ヨウ化パーフルオロアルキル対パーフルオロアルキルトリヒドロオレフィンの比は、約１：１〜約４：１、好ましくは約１．５：１〜２．５：１であるべきである。１．５：１未満の比は、Ｊｏｕｒｎａｌ  ｏｆ  Ｆｌｕｏｒｉｎｅ  Ｃｈｅｍｉｓｔｒｙ、Ｖｏｌ．４、２６１−２７０ページ（１９７４）にＪｅａｎｎｅａｕｘらよって報告されているように大量の２：１付加体をもたらす傾向がある。
【００３４】
前記ヨウ化パーフルオロアルキルと前記パーフルオロアルキルトリヒドロオレフィンとの接触のための好ましい温度は好ましくは、約１５０℃〜３００℃、より好ましくは約１７０℃〜約２５０℃、最も好ましくは約１８０℃〜約２３０℃の範囲内である。
【００３５】
ヨウ化パーフルオロアルキルとパーフルオロアルキルトリヒドロオレフィンとの反応のための好適な接触時間は、約０．５時間〜１８時間、好ましくは約４〜約１２時間である。
【００３６】
ヨウ化パーフルオロアルキルとパーフルオロアルキルトリヒドロオレフィンとの反応によって製造されたトリヒドロヨードパーフルオロアルカンは、脱ヨウ化水素工程に直接使用されてもよいし、または好ましくは脱ヨウ化水素工程の前に回収され、蒸留によって精製されてもよい。
【００３７】
脱ヨウ化水素工程は、トリヒドロヨードパーフルオロアルカンを塩基性物質と接触させることによって実施される。好適な塩基性物質には、アルカリ金属水酸化物（例えば、水酸化ナトリウムまたは水酸化カリウム）、アルカリ金属酸化物（例えば、酸化ナトリウム）、アルカリ土類金属水酸化物（例えば、水酸化カルシウム）、アルカリ土類金属酸化物（例えば、酸化カルシウム）、アルカリ金属アルコキシド（例えば、ナトリウムメトキシドまたはナトリウムエトキシド）、水性アンモニア、ナトリウムアミド、またはソーダ石灰などの塩基性物質の混合物が含まれる。好ましい塩基性物質は水酸化ナトリウムおよび水酸化カリウムである。
【００３８】
トリヒドロヨードパーフルオロアルカンと塩基性物質との前記接触は、液相で好ましくは両反応体の少なくとも一部を溶解させることができる溶媒の存在下に行われてもよい。脱ヨウ化水素工程に好適な溶媒には、アルコール（例えば、メタノール、エタノール、ｎ−プロパノール、イソプロパノール、ｎ−ブタノール、イソブタノール、および第三ブタノール）、ニトリル（例えば、アセトニトリル、プロピオニトリル、ブチロニトリル、ベンゾニトリル、またはアジポニトリル）、ジメチルスルホキシド、Ｎ，Ｎ−ジメチルホルムアミド、Ｎ，Ｎ−ジメチルアセトアミド、またはスルホランなどの１種以上の極性有機溶媒が含まれる。溶媒の選択は、生成物の沸点および精製中の生成物からの痕跡の溶媒の分離の容易さに依存するかもしれない。典型的には、エタノールまたはイソプロパノールがこの反応にとって良好な溶媒である。
【００３９】
典型的には、脱ヨウ化水素反応は、好適な反応容器中の他の反応体への反応体の１つ（塩基性物質かトリヒドロヨードパーフルオロアルカンかのいずれか）の添加によって実施されてもよい。前記反応容器は、ガラス、セラミック、または金属から製造されてもよく、好ましくは羽根車または撹拌機構でかき混ぜられる。
【００４０】
脱ヨウ化水素反応に好適な温度は約１０℃〜約１００℃、好ましくは約２０℃〜約７０℃である。脱ヨウ化水素反応は、周囲圧力でまたは減圧でまたは高圧で実施されてもよい。式Ｉの化合物が形成されながら反応容器から留去される脱ヨウ化水素反応に注目すべきである。
【００４１】
あるいはまた、脱ヨウ化水素反応は、前記塩基性物質の水溶液を、相間移動触媒の存在下にアルカン（例えば、ヘキサン、ヘプタン、またはオクタン）、芳香族炭化水素（例えば、トルエン）、ハロゲン化炭化水素（例えば、塩化メチレン、クロロホルム、四塩化炭素、またはパークロロエチレン）、またはエーテル（例えば、ジエチルエーテル、メチル第三ブチルエーテル、テトラヒドロフラン、２−メチルテトラヒドロフラン、ジオキサン、ジメトキシエタン、ジグリム、またはテトラグリム）などのより低い極性の１種以上の有機溶媒中のトリヒドロヨードパーフルオロアルカンの溶液と接触させることによって行われてもよい。好適な相間移動触媒には、第四級アンモニウムハロゲン化物（例えば、臭化テトラブチルアンモニウム、硫酸水素テトラブチルアンモニウム、塩化トリエチルベンジルアンモニウム、塩化ドデシルトリメチルアンモニウム、および塩化トリカプリリルメチルアンモニウム）、第四級ホスホニウムハロゲン化物（例えば、臭化トリフェニルメチルホスホニウムおよび塩化テトラフェニルホスホニウム）、またはクラウンエーテルとして当該技術分野で公知の環状ポリエーテル化合物（例えば、１８−クラウン−６および１５−クラウン−５）が含まれる。
【００４２】
あるいはまた、脱ヨウ化水素反応は、トリヒドロヨードパーフルオロアルカンを固体または液体塩基性物質に加えることによって溶媒なしで行われもよい。
【００４３】
脱ヨウ化水素反応に好適な反応時間は、反応体の溶解性に依存して約１５分〜約６時間またはそれ以上である。典型的には、脱ヨウ化水素反応は速く、完了のために約３０分〜約３時間を要する。
【００４４】
式１の化合物は、脱ヨウ化水素反応混合物から水の添加後の相分離によって、蒸留によって、またはそれらの組み合わせによって回収されてもよい。
【００４５】
別の実施形態では、フルオロオレフィンは環状フルオロオレフィン（シクロ−［ＣＸ＝ＣＹ（ＣＺＷ）ｎ−］（式２）（式中、Ｘ、Ｙ、Ｚ、およびＷは独立して、ＨおよびＦから選択され、ｎは２〜５の整数である）を含む。一実施形態では、式２のフルオロオレフィンは、少なくとも約３個の炭素原子を分子中に有する。別の実施形態では、式２のフルオロオレフィンは、少なくとも約４個の炭素原子を分子中に有する。さらに別の実施形態では、式２のフルオロオレフィンは少なくとも約５個の炭素原子を分子中に有する。式２の代表的な環状フルオロオレフィンは表２にリストされる。
【００４６】
【表４】
2010530952.tif 000006
【００４７】
別の実施形態では、フルオロオレフィンは、表３にリストされるそれらの化合物を含んでもよい。
【００４８】
【表５】
2010530952.tif 000007
【００４９】
【表６】
2010530952.tif 000008
【００５０】
【表７】
2010530952.tif 000009
【００５１】
【表８】
2010530952.tif 000010
【００５２】
【表９】
2010530952.tif 000011
【００５３】
【表１０】
2010530952.tif 000012
【００５４】
表２および表３にリストされた化合物は商業的に入手可能であるか、または当該技術分野で公知の方法によってもしくは本明細書に記載されるように製造されてもよい。
【００５５】
１，１，１，４，４−ペンタフルオロ−２−ブテンは、室温での気相で固体ＫＯＨ上での脱フッ化水素によって１，１，１，２，４，４−ヘキサフルオロブタン（ＣＨＦ２ＣＨ２ＣＨＦＣＦ３）から製造されてもよい。１，１，１，２，４，４−ヘキサフルオロブタンの合成は、参照により本明細書に援用される、米国特許第６，０６６，７６８号明細書に記載されている。
【００５６】
１，１，１，４，４，４−ヘキサフルオロ−２−ブテンは、約６０℃で相間移動触媒を使用するＫＯＨとの反応によって１，１，１，４，４，４−ヘキサフルオロ−２−ヨードブタン（ＣＦ３ＣＨＩＣＨ２ＣＦ３）から製造されてもよい。１，１，１，４，４，４−ヘキサフルオロ−２−ヨードブタンの合成は、自生圧力下に約２００℃で約８時間のヨウ化パーフルオロメチル（ＣＦ３Ｉ）と３，３，３−トリフルオロプロペン（ＣＦ３ＣＨ＝ＣＨ２）との反応によって実施されてもよい。
【００５７】
３，４，４，５，５，５−ヘキサフルオロ−２−ペンテンは、固体ＫＯＨを使用してかまたは２００〜３００℃で炭素触媒上での１，１，１，２，２，３，３−ヘプタフルオロペンタン（ＣＦ３ＣＦ２ＣＦ２ＣＨ２ＣＨ３）の脱フッ化水素によって製造されてもよい。１，１，１，２，２，３，３−ヘプタフルオロペンタンは、３，３，４，４，５，５，５−ヘプタフルオロ−１−ペンテン（ＣＦ３ＣＦ２ＣＦ２ＣＨ＝ＣＨ２）の水素化によって製造されてもよい。
【００５８】
１，１，１，２，３，４−ヘキサフルオロ−２−ブテンは、固体ＫＯＨを使用する１，１，１，２，３，３，４−ヘプタフルオロブタン（ＣＨ２ＦＣＦ２ＣＨＦＣＦ３）の脱フッ化水素によって製造されてもよい。
【００５９】
１，１，１，２，４，４−ヘキサフルオロ−２−ブテンは、固体ＫＯＨを使用する１，１，１，２，２，４，４−ヘプタフルオロブタン（ＣＨＦ２ＣＨ２ＣＦ２ＣＦ３）の脱フッ化水素によって製造されてもよい。
【００６０】
１，１，１，３，４，４−ヘキサフルオロ−２−ブテンは、固体ＫＯＨを使用する１，１，１，３，３，４，４−ヘプタフルオロブタン（ＣＦ３ＣＨ２ＣＦ２ＣＨＦ２）の脱フッ化水素によって製造されてもよい。
【００６１】
１，１，１，２，４−ペンタフルオロ−２−ブテンは、固体ＫＯＨを使用する１，１，１，２，２，３−ヘキサフルオロブタン（ＣＨ２ＦＣＨ２ＣＦ２ＣＦ３）の脱フッ化水素によって製造されてもよい。
【００６２】
１，１，１，３，４−ペンタフルオロ−２−ブテンは、固体ＫＯＨを使用する１，１，１，３，３，４−ヘキサフルオロブタン（ＣＦ３ＣＨ２ＣＦ２ＣＨ２Ｆ）の脱フッ化水素によって製造されてもよい。
【００６３】
１，１，１，３−テトラフルオロ−２−ブテンは、１，１，１，３，３−ペンタフルオロブタン（ＣＦ３ＣＨ２ＣＦ２ＣＨ３）を１２０℃で水性ＫＯＨと反応させることによって製造されてもよい。
【００６４】
１，１，１，４，４，５，５，５−オクタフルオロ−２−ペンテンは、約６０℃で相間移動触媒を使用するＫＯＨとの反応によって４−ヨード−１，１，１，２，２，５，５，５−オクタフルオロペンタン（ＣＦ３ＣＨＩＣＨ２ＣＦ２ＣＦ３）から製造されてもよい。４−ヨード−１，１，１，２，２，５，５，５−オクタフルオロペンタンの合成は、自生圧力下に約２００℃で約８時間のヨウ化パーフルオロエチル（ＣＦ３ＣＦ２Ｉ）と３，３，３−トリフルオロプロペンとの反応によって実施されてもよい。
【００６５】
１，１，１，２，２，５，５，６，６，６−デカフルオロ−３−ヘキセンは、約６０℃で相間移動触媒を使用するＫＯＨとの反応によって１，１，１，２，２，５，５，６，６，６−デカフルオロ−３−ヨードヘキサン（ＣＦ３ＣＦ２ＣＨＩＣＨ２ＣＦ２ＣＦ３）から製造されてもよい。１，１，１，２，２，５，５，６，６，６−デカフルオロ−３−ヨードヘキサンの合成は、自生圧力下に約２００℃で約８時間のヨウ化パーフルオロエチル（ＣＦ３ＣＦ２Ｉ）と３，３，４，４，４−ペンタフルオロ−１−ブテン（ＣＦ３ＣＦ２ＣＨ＝ＣＨ２）との反応によって実施されてもよい。
【００６６】
１，１，１，４，５，５，５−ヘプタフルオロ−４−（トリフルオロメチル）−２−ペンテンは、イソプロパノール中でＫＯＨでの１，１，１，２，５，５，５−ヘプタフルオロ−４−ヨード−２−（トリフルオロメチル）−ペンタン（ＣＦ３ＣＨＩＣＨ２ＣＦ（ＣＦ３）２）の脱フッ化水素によって製造されてもよい。ＣＦ３ＣＨＩＣＨ２ＣＦ（ＣＦ３）２は、約２００℃などの、高温での（ＣＦ３）２ＣＦＩとＣＦ３ＣＨ＝ＣＨ２との反応から製造される。
【００６７】
１，１，１，４，４，５，５，６，６，６−デカフルオロ−２−ヘキセンは、１，１，１，４，４，４−ヘキサフルオロ−２−ブテン（ＣＦ３ＣＨ＝ＣＨＣＦ３）とテトラフルオロエチレン（ＣＦ２＝ＣＦ２）および五フッ化アンチモン（ＳｂＦ５）との反応によって製造されてもよい。
【００６８】
２，３，３，４，４−ペンタフルオロ−１−ブテンは、高温でフッ化物処理アルミナ上での１，１，２，２，３，３−ヘキサフルオロブタンの脱フッ化水素によって製造されてもよい。
【００６９】
２，３，３，４，４，５，５，５−オクタフルオロ−１−ペンテンは、固体ＫＯＨ上での２，２，３，３，４，４，５，５，５−ノナフルオロペンタンの脱フッ化水素によって製造されてもよい。
【００７０】
１，２，３，３，４，４，５，５−オクタフルオロ−１−ペンテンは、高温でフッ化物処理アルミナ上での２，２，３，３，４，４，５，５，５−ノナフルオロペンタンの脱フッ化水素によって製造されてもよい。
【００７１】
幾つかの実施形態では、伝熱組成物は、式１、式２、または表１、２もしくは３からの単一化合物を含んでもよいし、あるいはまた、式１の化合物の組み合わせ、式２の化合物の組み合わせ、または表１、２もしくは３からの化合物の組み合わせを含んでもよい。同様に、追加の実施形態では、伝熱組成物は、たぶん本伝熱組成物の成分であるものとして、単独でか組み合わせてかのいずれかで、式１、式２の、または表１、２もしくは３からの化合物と本明細書に定義されるような他のクラスの化合物（すなわち、式１、式２または表１、２もしくは３の化合物）との組み合わせを含んでもよい。
【００７２】
式１、式２、表１、表２、および表３の化合物の多くは、異なる立体配置異性体または立体異性体として存在する。具体的な異性体が指定されないとき、本発明は、すべての単一立体配置異性体、単一の立体異性体、またはそれらの任意の組み合わせを含むことを意図される。例えば、Ｆ１１Ｅは、Ｅ−異性体、Ｚ−異性体、または任意の比の両異性体の任意の組み合わせまたは混合物を表すことを意図される。別の例として、ＨＦＣ−１２２５ｙｅは、Ｅ−異性体、Ｚ−異性体、または任意の比の両異性体の任意の組み合わせまたは混合物を表すことを意図される。一実施形態では、ＨＦＣ−１２２５ｙｅは、主にＺ−ＨＦＣ−１２２５ｙｅを含んでもよく、その実施形態では、増加した冷凍能力が達成されるかもしれない。
【００７３】
伝熱組成物は少なくとも１つの炭化水素を含んでもよい。炭化水素は、炭素および水素のみを有する化合物である。３〜７個の炭素原子を有する化合物が特に有用である。炭化水素は、多数の化学薬品供給業者を通して商業的に入手可能である。代表的な炭化水素には、プロパン、ｎ−ブタン、イソブタン、シクロブタン、ｎ−ペンタン、２−メチルブタン、２，２−ジメチルプロパン、シクロペンタン、ｎ−ヘキサン、２−メチルペンタン、２，２−ジメチルブタン、２，３−ジメチルブタン、３−メチルペンタン、シクロヘキサン、ｎ−ヘプタン、シクロヘプタン、およびそれらの混合物が含まれるが、それらに限定されない。幾つかの実施形態では、伝熱組成物は、ジメチルエーテル（ＤＭＥ、ＣＨ３ＯＣＨ３）などの、ヘテロ原子を含有する炭化水素を含んでもよく、本発明の冷媒として含められてもよい。ＤＭＥは商業的に入手可能である。
【００７４】
幾つかの実施形態では、伝熱組成物は、様々な製造業者から商業的に入手可能であるかまたは当該技術分野で公知の方法によって製造されてもよい、二酸化炭素（ＣＯ２）を含んでもよい。
【００７５】
幾つかの実施形態では、伝熱組成物は、様々な製造業者から商業的に入手可能であるかまたは当該技術分野で公知の方法によって製造されてもよい、アンモニア（ＮＨ３）を含んでもよい。
【００７６】
幾つかの実施形態では、伝熱組成物は、様々な製造業者から商業的に入手可能であるかまたは当該技術分野で公知の方法によって製造されてもよい、ヨードトリフルオロメタン（ＣＦ３Ｉ）を含んでもよい。
【００７７】
別の実施形態では、伝熱組成物は、ＨＦＣ−３２、ＨＦＣ−１２５、ＨＦＣ−１３４ａ、ＨＦＣ−１５２ａ、ＨＦＣ−１６１、およびこの段落にリストされる化合物のいずれかの混合物を意味する、それらの混合物からなる群から選択された少なくとも１種の化合物を含んでもよい。
【００７８】
別の実施形態では、伝熱組成物は、ＨＦＣ−１２２５ｙｅ、ＨＦＣ−１２３４ｙｆ、ＨＦＣ−１２３４ｚｅ、ＨＦＣ−１２４３ｚｆ、およびそれらの混合物からなる群からの少なくとも１種の化合物を含んでもよい。
【００７９】
別の実施形態では、伝熱組成物は、ＨＦＣ−３２、ＨＦＣ−１２５、およびＨＦＣ−１３４ａ（ＡＳＨＲＡＥ（米国暖房冷凍空調学会）は各成分の濃度に依存してＲ４０７Ａ、Ｒ４０７Ｂ、またはＲ４０７Ｃと指定した）；またはＨＦＣ−３２およびＨＦＣ−１２２５ｙｅ；またはＨＦＣ−１２３４ｙｆおよびＣＦ３Ｉ；またはＨＦＣ−３２、ＨＦＣ−１３４ａ、およびＨＦＣ−１２２５ｙｅ；またはＨＦＣ−３２、ＨＦＣ−１２２５ｙｅ、およびＨＦＣ−１２３４ｙｆ；またはＨＦＣ−１２５、ＨＦＣ−１２２５ｙｅ、およびＨＦＣ−１２３４ｙｆ；またはＨＦＣ−３２、ＨＦＣ−１２２５ｙｅ、ＨＦＣ−１２３４ｙｆ、およびＣＦ３Ｉ；ＨＦＣ−１３４ａ、ＨＦＣ−１２２５ｙｅ、およびＨＦＣ−１２３４ｙｆ；ＨＦＣ−１３４ａおよびＨＦＣ−１２３４ｙｆ；またはＨＦＣ−１２５およびＨＦＣ−１２３４ｙｆを含んでもよい。
【００８０】
別の実施形態では、伝熱組成物は、ＨＦＣ−１２５、ＨＦＣ−１３４ａ、およびｎ−ブタン（ＡＳＨＲＡＥはＲ４１７Ａと指定した）；ＨＦＣ−１２５、ＨＦＣ−１３４ａ、およびジメチルエーテル（ＡＳＨＲＡＥはＲ４１９Ａと指定した）；ＨＦＣ−１２５、ＨＦＣ−１３４ａ、およびイソブタン（ＡＳＨＲＡＥは、各成分の濃度に依存してＲ４２２Ａ、Ｒ４２２Ｂ、Ｒ４２２ＣまたはＲ４２２Ｄと指定した）；ＨＦＣ−１３４ａおよびＨＦＣ−２２７ｅａ（ＡＳＨＲＡＥはＲ４２３Ａと指定した）；ＨＦＣ−１２５、ＨＦＣ−１３４ａ、ｎ−ブタン、イソブタンおよびイソペンタン（ＡＳＨＲＡＥはＲ４２４Ａと指定した）；ＨＦＣ−１３４ａ、ＨＦＣ−３２、およびＨＦＣ−２２７ｅａ（ＡＳＨＲＡＥはＲ４２５Ａと指定した）；ＨＦＣ−１２５、ＨＦＣ−１３４ａ、ｎ−ブタン、およびイソペンタン（ＡＳＨＲＡＥはＲ４２６Ａと指定した）；ＨＦＣ−３２、ＨＦＣ−１２５、ＨＦＣ−１４３ａ、およびＨＦＣ−１３４ａ（ＡＳＨＲＡＥはＲ４２７Ａと指定した）；ＨＦＣ−１２５、ＨＦＣ−１４３ａ、プロパン、およびイソブタン（ＡＳＨＲＡＥはＲ４２８Ａと指定した）；ならびにＨＦＣ−１２５、ＨＦＣ−１３４ａ、ｎ−ブタン、およびｎ−ペンタン（ＡＳＨＲＡＥはＲ４３７Ａと指定した）からなる群から選択された混合物を含んでもよい。
【００８１】
別の実施形態では、伝熱組成物は、
ＨＦＣ−３２、ＨＦＣ−１２５、およびＨＦＣ−１２２５ｙｅ；
ＨＦＣ−３２およびＨＦＣ−１２３４ｙｆ；
ＨＦＣ−３２、ＨＦＣ−１２５、およびＨＦＣ−１２３４ｙｆ；
ＨＦＣ−３２、ＨＦＣ−１３４ａ、およびＨＦＣ−１２３４ｙｆ；
ＨＦＣ−３２、ＨＦＣ−１２５、ＨＦＣ−１３４ａ、およびＨＦＣ−１２３４ｙｆ；
ジメチルエーテルおよびＨＦＣ−１２３４ｙｆ；
ＨＦＣ−１５２ａおよびＨＦＣ−１２３４ｙｆ；
ＨＦＣ−１５２ａ、ＨＦＣ−１３４ａ、およびＨＦＣ−１２３４ｙｆ；
ＨＦＣ−１５２ａ、ｎ−ブタン、およびＨＦＣ−１２３４ｙｆ；
ＨＦＣ−１３４ａ、プロパン、およびＨＦＣ−１２３４ｙｆ；
ＨＦＣ−１２５、ＨＦＣ−１５２ａ、およびＨＦＣ−１２３４ｙｆ；
ＨＦＣ−１２５、ＨＦＣ−１３４ａ、およびＨＦＣ−１２３４ｙｆ；
ＨＦＣ−３２、ＨＦＣ−１２３４ｚｅ、およびＨＦＣ−１２３４ｙｆ；
ＨＦＣ−１２５、ＨＦＣ−１２３４ｚｅ、およびＨＦＣ−１２３４ｙｆ；
ＨＦＣ−３２、ＨＦＣ−１２３４ｚｅ、ＨＦＣ−１２３４ｙｆ、およびＣＦ３Ｉ；
ＨＦＣ−１３４ａ、ＨＦＣ−１２３４ｚｅ、およびＨＦＣ−１２３４ｙｆ；
ＨＦＣ−１３４ａおよびＨＦＣ−１２３４ｚｅ；
ＨＦＣ−３２およびＨＦＣ−１２３４ｚｅ；
ＨＦＣ−１２５およびＨＦＣ−１２３４ｚｅ；
ＨＦＣ−３２、ＨＦＣ−１２５、およびＨＦＣ−１２３４ｚｅ；
ＨＦＣ−３２、ＨＦＣ−１３４ａ、およびＨＦＣ−１２３４ｚｅ；
ジメチルエーテルおよびＨＦＣ−１２３４ｚｅ；
ＨＦＣ−１５２ａおよびＨＦＣ−１２３４ｚｅ；
ＨＦＣ−１５２ａ、ＨＦＣ−１３４ａ、およびＨＦＣ−１２３４ｚｅ；
ＨＦＣ−１５２ａ、ｎ−ブタン、およびＨＦＣ−１２３４ｚｅ；
ＨＦＣ−１３４ａ、プロパン、およびＨＦＣ−１２３４ｚｅ；
ＨＦＣ−１２５、ＨＦＣ−１５２ａ、およびＨＦＣ−１２３４ｚｅ；ならびに
ＨＦＣ−１２５、ＨＦＣ−１３４ａ、およびＨＦＣ−１２３４ｚｅ
からなる群から選択された混合物を含んでもよい。
【００８２】
一実施形態では、伝熱組成物は非共沸組成物であってもよい。本発明は、かかる組成物を使用するシステムにおける漏洩が、上に説明されたように、かなりの圧力変化を生じさせるので、かかる組成物で特に有用である。
【００８３】
ある種の実施形態では、追加の成分が伝熱組成物に含められてもよい。これらの追加の成分は潤滑油、相溶化剤、可溶化剤、安定剤、ＵＶ染料、トレーサー、パーフルオロポリエーテル（ＰＦＰＥ）、および官能化パーフルオロポリエーテルを含んでもよい。
【００８４】
本明細書に開示されるような伝熱組成物は、ポリアルキレングリコール、ポリオールエステル、ポリビニルエーテル、ポリカーボネート、鉱油、アルキルベンゼン、合成パラフィン、合成ナフテン、およびポリ（アルファ）オレフィンからなる群から選択された少なくとも１種の潤滑油をさらに含んでもよい。
【００８５】
本発明の潤滑油は、冷凍またはエアコン装置での使用に好適なものを含む。これらの潤滑油の中には、クロロフルオロカーボン冷媒を利用する蒸気圧縮冷凍装置に通常使用されるものがある。本発明の潤滑油は、圧縮冷凍潤滑の分野で「鉱油」として一般に知られるものを含んでもよい。鉱油は、パラフィン（すなわち、直鎖および分岐の炭素鎖の飽和炭化水素）、ナフテン（すなわち、環状パラフィン）および芳香族化合物（すなわち、交互二重結合で特徴づけられる１つ以上の環を含有する不飽和の環状炭化水素）を含む。本発明の潤滑油は、圧縮冷凍潤滑の分野で「合成油」として一般に知られるものをさらに含む。合成油は、アルキルアリール（すなわち、線状および分岐アルキルのアルキルベンゼン）、合成パラフィンおよびナフテン、ならびにポリ（アルファオレフィン）を含む。本発明の代表的な通常の潤滑油は、商業的に入手可能なＢＶＭ１００Ｎ（ＢＶＡ  Ｏｉｌｓによって販売されるパラフィン系鉱油）、Ｓｕｎｉｓｏ（登録商標）３ＧＳおよびＳｕｎｉｓｏ（登録商標）５ＧＳ（Ｃｒｏｍｐｔｏｎ  Ｃｏ．によって販売されるナフテン系鉱油）、Ｓｏｎｔｅｘ（登録商標）３７２ＬＴ（Ｐｅｎｎｚｏｉｌによって販売されるナフテン系鉱油）、Ｃａｌｕｍｅｔ（登録商標）ＲＯ−３０（Ｃａｌｕｍｅｔ  Ｌｕｂｒｉｃａｎｔｓによって販売されるナフテン系鉱油）、Ｚｅｒｏｌ（登録商標）７５、Ｚｅｒｏｌ（登録商標）１５０およびＺｅｒｏｌ（登録商標）５００（Ｓｈｒｉｅｖｅ  Ｃｈｅｍｉｃａｌｓによって販売される線状アルキルベンゼン）ならびにＨＡＢ  ２２（Ｎｉｐｐｏｎ  Ｏｉｌによって販売される分岐アルキルベンゼン）である。
【００８６】
本発明の潤滑油は、ハイドロフルオロカーボン冷媒での使用を設計されてきた、かつ、圧縮冷凍およびエアコン装置の運転条件下に本発明の冷媒と混和性であるものをさらに含む。かかる潤滑油には、Ｃａｓｔｒｏｌ（登録商標）１００（Ｃａｓｔｒｏｌ（Ｕｎｉｔｅｄ  Ｋｉｎｇｄｏｍ））などのポリオールエステル（ＰＯＥ）、Ｄｏｗ（Ｄｏｗ  Ｃｈｅｍｉｃａｌ（Ｍｉｄｌａｎｄ、Ｍｉｃｈｉｇａｎ））からのＲＬ−４８８Ａなどのポリアルキレングリコール（（ＰＡＧ）、ポリビニルエーテル（ＰＶＥ）、およびポリカーボネート（ＰＣ）が含まれるが、それらに限定されない。
【００８７】
本発明の潤滑油は、所与の圧縮機の要件と潤滑油が曝されるであろう環境とを考慮することによって選択されてもよい。
【００８８】
本発明の組成物は、約０．０１重量パーセント〜約５重量パーセントの安定剤、フリーラジカル捕捉剤または酸化防止剤をさらに含んでもよい。かかる他の添加剤には、ニトロメタン、ヒンダードフェノール、ヒドロキシルアミン、チオール、ホスファイト、またはラクトンが含まれるが、それらに限定されない。単一の添加剤または組み合わせが使用されてもよい。
【００８９】
場合により、ある種の冷凍またはエアコンシステム添加剤が、性能およびシステム安定性を高めるために、要望通り、本発明の組成物に添加されてもよい。これらの添加剤は、冷凍およびエアコンの分野で公知であり、摩耗防止剤、極圧潤滑油、腐食および酸化防止剤、金属表面不活性化剤、フリーラジカル捕捉剤、および発泡防止剤を含むが、それらに限定されない。一般に、これらの添加剤は、全体組成物に対して少量で本発明組成物中に存在してもよい。典型的には、約０．１重量パーセント未満から約３重量パーセントほどに多いまでの濃度の各添加剤が使用される。これらの添加剤は、個々のシステム要件に基づいて選択される。これらの添加剤には、ブチル化トリフェニルホスフェート（ＢＴＰＰ）、または他のアルキル化トリアリールホスフェートエステル、例えば、Ａｋｚｏ  Ｃｈｅｍｉｃａｌｓ製のＳｙｎ−０−Ａｄ  ８４７８、トリクレジルホスフェートおよび関連化合物などの、ＥＰ（極圧）潤滑性添加剤のトリアリールホスフェート族のメンバーが含まれる。さらに、金属ジアルキルジチオホスフェート（例えば、亜鉛ジアルキルジチオホスフェート（またはＺＤＤＰ）、Ｌｕｂｒｉｚｏｌ  １３７５および、この族の化学薬品の他のメンバーが本発明の組成物に使用されてもよい。他の摩耗防止添加剤には、天然品オイルおよび、Ｓｙｎｅｒｇｏｌ  ＴＭＳ（Ｉｎｔｅｒｎａｔｉｏｎａｌ  Ｌｕｂｒｉｃａｎｔｓ）などの、非対称ポリヒドロキシル潤滑添加剤が含まれる。同様に、酸化防止剤、フリーラジカル捕捉剤、および水捕捉剤などの安定剤も用いられてもよい。このカテゴリーの化合物には、ブチル化ヒドロキシトルエン（ＢＨＴ）、エポキシド、およびそれらの混合物が含まれ得るが、それらに限定されない。腐食防止剤には、コハク酸ドデシル（ＤＤＳＡ）、アミンホスフェート（ＡＰ）、オレオイルサルコシン、イミダゾン誘導体および置換スルホネートが含まれる。金属表面不活性化剤には、アレオキサリル（ａｒｅｏｘａｌｙｌ）ビス（ベンジリデン）ヒドラジド（ＣＡＳ登録番号６６２９−１０−３）、Ｎ，Ｎ’−ビス（３，５−ジ−第三ブチル−４−ヒドロキシヒドロシンナモイルヒドラジン（ＣＡＳ登録番号３２６８７−７８−８）、２，２’−オキサミドビス−エチル−（３，５−ジ−第三ブチル−４−ヒドロキシヒドロシンナメート（ＣＡＳ登録番号７０３３１−９４−１）、Ｎ，Ｎ’−（ジサリシリデン）−１，２−ジアミノプロパン（ＣＡＳ登録番号９４−９１−７）、およびエチレンジアミン四酢酸（ＣＡＳ登録番号６０−００−４）およびその塩、ならびにそれらの混合物が含まれる。
【００９０】
追加の添加剤には、ヒンダードフェノール、チオホスフェート、ブチル化トリフェニルホスホロチオネート、オルガノホスフェート、またはホスファイト、アリールアルキルエーテル、テルペン、テルペノイド、エポキシド、フッ素化エポキシド、オキセタン、アスコルビン酸、チオール、ラクトン、チオエーテル、アミン、ニトロメタン、アルキルシラン、ベンゾフェノン誘導体、アリールスルフィド、ジビニルテレフタル酸、ジフェニルテレフタル酸、イオン性液体、およびそれらの混合物からなる群から選択された少なくとも１種の化合物を含む安定剤が含まれる。代表的な安定剤化合物には、トコフェロール；ヒドロキノン；ｔ−ブチルヒドロキノン；モノチオホスフェート；商標Ｉｒｇａｌｕｂｅ（登録商標）６３でＣｉｂａＳｐｅｃｉａｌｔｙＣｈｅｍｉｃａｌｓ（Ｂａｓｅｌ，Ｓｗｉｔｚｅｒｌａｎｄ）（本明細書では以下「Ｃｉｂａ」）から商業的に入手可能なジチオホスフェートなどの、ジチオホスフェート；商標Ｉｒｇａｌｕｂｅ（登録商標）３５３およびＩｒｇａｌｕｂｅ（登録商標）３５０（Ｃｉｂａ）でＣｉｂａから商業的に入手可能な、ジアルキルチオホスフェートエステル；商標Ｉｒｇａｌｕｂｅ（登録商標）２３２でＣｉｂａから商業的に入手可能な、ブチル化トリフェニルホスホロチオネート；商標Ｉｒｇａｌｕｂｅ（登録商標）３４９でＣｉｂａから商業的に入手可能な、アミンホスフェート；商標Ｉｒｇａｆｏｓ（登録商標）１６８でＣｉｂａから商業的に入手可能な、ヒンダードホスファイト；商標Ｉｒｇａｆｏｓ（登録商標）ＯＰＨでＣｉｂａから商業的に入手可能な、トリス−（ジ−第三ブチルフェニル）ホスファイト；商標Ｉｒｇａｆｏｓ（登録商標）ＤＤＰＰでＣｉｂａから商業的に入手可能な、ジ−ｎ−オクチルホスファイト；Ｃｉｂａから商業的に入手可能な、イソ−デシルジフェニルホスフェート；アニソール；１，４−ジメトキシベンゼン；；１，４−ジエトキシベンゼン；１，３，５−トリメトキシベンゼン；ｄ−リモネン；レチナール；ピネン；メントール；ビタミンＡ；テルピネン；ジペンテン；リコピン；ベータカロテン；ボルナン；１，２−プロピレンオキシド；１，２−ブチレンオキシド；ｎ−ブチルグリシジルエーテル；トリフルオロメチルオキシラン；１，１−ビス（トリフルオロメチル）オキシラン；ＯＸＴ−１０１（ＴｏａｇｏｓｅｉＣｏ．，Ｌｔｄ）などの、３−エチル−３−ヒドロキシメチル−オキセタン；ＯＸＴ−２１１（ＴｏａｇｏｓｅｉＣｏ．，Ｌｔｄ）などの、；３−エチル−３−（（フェノキシ）メチル）−オキセタン；ＯＸＴ−２１２（ＴｏａｇｏｓｅｉＣｏ．，Ｌｔｄ）などの、３−エチル−３−（（２−エチル−ヘキシルオキシ）メチル）−オキセタン；アスコルビン酸；メタンチオール（メチルメルカプタン）；エタンチオール（エチルメルカプタン）；補酵素Ａ；ジメルカプトコハク酸（ＤＭＳＡ）；グレープフルーツメルカプタン（（Ｒ）−２−（４−メチルシクロ−３−ヘキセニル）プロパン−２−チオール））；システイン（（Ｒ）−２−アミノ−３−スルファニル−プロパン酸）；リポアミド（１，２−ジチオラン−３−ペンタンアミド）；商標Ｉｒｇａｎｏｘ（登録商標）ＨＰ−１３６でＣｉｂａから商業的に入手可能な、５，７−ビス（１，１−ジメチルエチル）−３−［２，３（または３，４）−ジメチルフェニル］−２（３Ｈ）−ベンゾフラノン；ベンジルフェニルスルフィド；ジフェニルスルフィド；ジイソプロピルアミン；商標Ｉｒｇａｎｏｘ（登録商標）ＰＳ８０２でＣｉｂａから商業的に入手可能な、３，３’−チオジプロピオン酸ジオクタデシル；商標Ｉｒｇａｎｏｘ（登録商標）ＰＳ８００でＣｉｂａから商業的に入手可能な、３，３’−チオジプロピオン酸ジドデシル；商標Ｔｉｎｕｖｉｎ（登録商標）７７０でＣｉｂａから商業的に入手可能な、セバシン酸ジ−（２，２，６，６−テトラメチル−４−ピペリジル）；商標Ｔｉｎｕｖｉｎ（登録商標）６２２ＬＤでＣｉｂａから商業的に入手可能な、ポリ−（Ｎ−ヒドロキシエチル−２，２，６，６−テトラメチル−４−ヒドロキシ−ピペリジルスクシネート；メチルビス牛脂アミン；ビス牛脂アミン；フェノール−アルファ−ナフチルアミン；ビス（ジメチルアミノ）メチルシラン（ＤＭＡＭＳ）；トリス（トリメチルシリル）シラン（ＴＴＭＳＳ）；ビニルトリエトキシシラン；ビニルトリメトキシシラン；２，５−ジフルオロベンゾフェノン；２’，５’−ジヒドロキシアセトフェノン；２−アミノベンゾフェノン；２−クロロベンゾフェノン；ベンジルフェニルスルフィド；ジフェニルスルフィド；ジベンジルスルフィド；イオン性液体；ならびにＰＣＴ特許出願公開Ｎｏ．国際公開第２００７／１２６７６０号パンフレット（２００７年３月２６日出願の、国際特許出願Ｎｏ．ＰＣＴ／米国特許出願公開第０７／０７４７７号明細書）に開示されているような他のものが含まれるが、それらに限定されない。
【００９１】
イオン性液体安定剤は少なくとも１種のイオン性液体を含む。イオン性液体は、室温（おおよそ２５℃）で液体である有機塩である。別の実施形態では、イオン性液体安定剤は、ピリジニウム、ピリダジニウム、ピリミジニウム、ピラジニウム、イミダゾリウム、ピラゾリウム、チアゾリウム、オキサゾリウムおよびトリアゾリウムからなる群から選択された陽イオンと；［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、およびＦ−からなる群から選択されたならびに陰イオンとを含有する塩を含む。代表的なイオン性液体安定剤には、それらのすべてがＦｌｕｋａ（Ｓｉｇｍａ−Ａｌｄｒｉｃｈ）から入手可能である、ｅｍｉｎＢＦ４（１−エチル−３−メチルイミダゾリウムテトラフルオロボレート）；ｂｍｉｍＢＦ４（１−ブチル−３−メチルイミダゾリウムテトラフルオロボレート）；ｅｍｉｍＰＦ６（１−エチル−３−メチルイミダゾリウムヘキサフルオロホスフェート）；およびｂｍｉｍＰＦ６（１−ブチル−３−メチルイミダゾリウムヘキサフルオロホスフェート）が含まれる。
【００９２】
伝熱システム
本開示はまた、システムの内圧を測定するための圧力測定デバイスを含む閉ループ伝熱システムを提供する。例示のために、本発明は自動車車両の伝熱システムに関して例示されるが、この伝熱システムは移動式および固定式用途の両方で有用であるかもしれない。
【００９３】
本発明の閉ループ伝熱システムは、蒸気−圧縮システムであってもよい。かかるシステムは、図１の１０で概して示される。蒸気−圧縮伝熱システムは典型的には、蒸発器、圧縮機、凝縮器、および膨張器を含む。蒸気−圧縮システムは、１ステップで冷却効果を、そして異なるステップで加熱効果をもたらす多段階で冷媒を再使用する閉ループシステムである。サイクルは次の通り簡単に説明することができる。液体伝熱組成物は膨張器を通って蒸発器に入り、液体伝熱組成物は低温で蒸発器において沸騰してガスを形成し、冷却を生み出す。低圧ガスは圧縮機に入り、そこでガスは圧縮されてその圧力および温度を上げる。より高い圧力（圧縮された）ガス状伝熱組成物は次に凝縮器に入り、そこで伝熱組成物は凝縮し、その熱を環境に放出する。伝熱組成物は膨張器に戻り、膨張器によって液体は、凝縮器におけるより高い圧力レベルから蒸発器における低圧レベルに膨張し、こうしてサイクルを繰り返す。
【００９４】
図１に関連して、入口および出口を有する圧縮機１２が示されている。入口および出口を有する蒸発器４２からの、冷媒などの、ガス状伝熱組成物は、蒸発器の出口から接続ライン６３を通って圧縮機の入口に流れ、そこでガス状冷媒は圧縮される。流体を圧縮するための機械的手段に依存して、または容積式（例えば、往復、スクロールもしくはスクリュー）もしくは動的（例えば、遠心もしくはジェット）のような、往復、ロータリー、ジェット、遠心、スクロール、スクリューもしくは軸流をはじめとする、様々なタイプの圧縮機が本発明で使用されてもよい。
【００９５】
圧縮機からの圧縮されたガス状伝熱組成物は、圧縮機出口を通っておよび接続ライン６１を通って凝縮器４１に流れる。接続ライン６１中に圧力調整バルブ５１が用いられてもよい。このバルブは、ライン６３経由での圧縮機への冷媒流れのリサイクルバックを可能にし、それによって凝縮器４１に達する伝熱組成物の圧力を制御する、かつ、必要ならば圧縮機サージを防ぐ能力を提供する。圧縮された伝熱組成物は凝縮器で凝縮し、こうして熱を放出し、液体へ変換される。液体伝熱組成物は、入口および出口を有する膨張器５２を通って流れる。膨張器の入口は凝縮器の出口に接続されている。膨張器の出口は、ライン６２経由で蒸発器４２に接続され、蒸発器は、自動車エアコンシステムの場合には、パッセンジャー・コンパートメントに配置されている。蒸発器で、液体伝熱組成物は気化し、冷却を提供する。蒸発器の出口は圧縮機の入口に接続され、サイクルはそれから繰り返す。膨張器５２は、膨張バルブ、毛細管もしくはオリフィスチューブであってもよい。
【００９６】
ある種の実施形態では、膨張器は、膨張バルブ、毛細管もしくはオリフィスチューブ、または伝熱組成物が圧力の急低下を受けるかもしれない任意の他のデバイスであってもよい。
【００９７】
伝熱システムは場合により、凝縮器を出る液体ラインおよび圧縮機に入る吸引ラインからの熱を交換する内部熱交換器を含有してもよい。あるいはまた、ある種の実施形態では、本明細書に開示されるような伝熱システムは、とりわけ蒸発器および凝縮器の両方のために、フィンおよびチューブ熱交換器、マイクロチャネル熱交換器ならびに垂直もしくは水平ワンパスチュ−ブまたはプレート型熱交換器をさらに用いてもよい。
【００９８】
本発明の閉ループ伝熱システムは、閉ループシステム内に配置された伝熱システムの内圧を測定するためのデバイスをさらに含む。内部システム圧力を測定するための圧力測定デバイス手段は、任意の公知の圧力測定デバイスであってもよく、図１において７０で示される。圧力センサーは実際に、７０で示されるように、システムのチュービング内にあってもよい。読み出しおよび／または調整装置は、ライン７４によって圧力センサーに接続されてもよいし、７２に示されるように、極接近して圧力センサーのまさしく外部に、または遠く離れた場所に配置されてもよい。かかる圧力測定デバイスは、とりわけ、トランスデューサー、バロメーター、Ｂｏｕｒｄｏｎ計、ダイアフラム式計器、圧電抵抗センサー、微小電気機械システム（ＭＥＭＳ）、および光学センサーなどのセンサーであってもよいが、それらに限定されない。幾つかの実施形態では、圧力の監視は、熱電対からの温度などの、圧力以外のパラメーターを測定するための、熱電対などの、センサーの使用を含んでもよい。これらのセンサーは、これらの他のパラメーターの変動を相殺するために圧力センサーと併せて用いられてもよい。別の実施形態では、熱電対などのセンサーは、例えば、基本的関係からシステム内の圧力を計算するために用いられてもよい温度を測定するために単独で用いられてもよい。上にリストされたような測定デバイスは、例えば、Ｈｏｎｅｙｗｅｌｌ  Ｉｎｔｅｒｎａｔｉｏｎａｌ，Ｉｎｃ．（Ｍｏｒｒｉｓｔｏｗｎ，ＮＪ）およびその他から商業的に入手可能である。
【００９９】
本発明では、圧力測定デバイスは、閉ループ伝熱システム内部に据え付けられ、そして永久的にさえ据え付けられてもよい。測定デバイスは、測定の制御および読み取りのための装置に配線で接続されてもよいし、または制御および読み取りのための装置へまたは装置から無線方式で信号を送信してもよい。圧力測定デバイスは、圧力の変化が検出されるかもしれない任意の場所で伝熱システムに据え付けることができるであろう。伝熱組成物がすべてまたは少なくともほとんどが（液体であることとは対照的に）蒸気であるシステム中の任意のポイントに配置された圧力を測定するための手段を有することが有利であるかもしれない。蒸発器圧力は、外部条件が変化するとき凝縮器圧力より一定であるので、測定デバイスにとって好ましい測定ポイントは、図１に示されるように、蒸発器と圧縮機との間であろう。あるいはまた、蒸発器と圧縮機との間ではそれは通常すべて蒸気であるのに対して、膨張器と蒸発器との間では蒸気−液体混合物が存在する傾向があるかもしれないが、測定デバイスは当該場所間に据え付けられてもよい。あるいはまた、圧力測定デバイスは、圧縮機と蒸発器との間に、または凝縮器と膨張器との間に据え付けられてもよい。
【０１００】
ある種の実施形態では、それを通って伝熱組成物が流れてもよい、伝熱システムの構成要素間の接続ラインは、かかる目的のために公知の典型的な導管材料で構築されてもよい。一実施形態では、（銅または銅合金配管などの）金属パイピングまたは金属配管が伝熱システムの構成要素を接続するために使用されてもよい。別の実施形態では、ポリマーもしくはエラストマー、またはかかる材料と金属メッシュなどの強化材との組み合わせなどの、様々な材料で構築されたホースが本システムに使用されてもよい。伝熱システムのための、特に自動車エアコンシステムのためのホース設計の一例は、２００８年３月６日公開の、国際特許出願公開Ｎｏ．国際公開第２００８／０２７５５５号パンフレットに提供されている。
【０１０１】
一実施形態では、伝熱システムは、使用者に伝熱組成物の漏洩を知らせる信号を生み出す内部システム圧力を測定するための手段に接続された計器をさらに含んでもよい。例えば、自動車エアコンシステムにおいて、計器は、漏洩が検出されたときに表示される計器盤上のライトであってもよい。別の実施形態では、計器は警報器であってもよいし、またはさらに別の実施形態では、計器は、ライトと警報器との組み合わせであってもよい。計器は、過度の物質が漏洩するかまたは冷却能力の損失が起こる前に修理および再装入が成し遂げられるように漏洩中の伝熱組成物についての情報を使用者に提供するだろう。
【０１０２】
一実施形態では、本発明の漏洩検出方法は、道路、鉄道、海または空用の輸送装置中へ組み込まれた任意の冷凍またはエアコンシステムを意味する、移動式伝熱システムで有用であるかもしれない。別の実施形態では、「複合一貫輸送」システムとして知られる、任意の移動運搬装置とは無関係のシステムに冷凍またはエアコンを提供することを意図される、システムは本発明に含められる。かかる複合一貫輸送システムには、「スワップボディ」（複合道路および鉄道輸送）だけでなく「コンテナ」（複合海／陸輸送）も含まれる。本発明は、自動車エアコンシステムまたは冷凍道路輸送設備などの、道路輸送冷凍またはエアコンシステムに特に有用である。
【０１０３】
別の実施形態では、本発明の漏洩検出方法は、固定式伝熱システム、例えば、エアコン、ヒートポンプ、チラー、高温ヒートポンプ、住宅および軽商業および商業用エアコンシステムで有用であるかもしれない。固定式エアコンおよびヒートポンプ用途にはまた、パッケジルーフトップをはじめとする、ウィンドウ型、ダクト無、ダクト付き、充填端子、チラーおよび商業用用途が含まれる。固定式冷凍用途において、さらに別の実施形態では、本方法は、家庭用またはホーム冷蔵庫および冷凍庫、内蔵型クーラーおよび冷凍庫、ウォ−クインクーラーおよび冷凍庫、製氷機、およびスーパーマーケットシステムなどの機器における漏洩の検出に有用であるかもしれない。
【０１０４】
かかる固定式伝熱システムは、固定式内燃エンジンが発電機を駆動させるために使用される、ＣＨＰ（熱電併給）システムと関連してもよい。エンジンによって生み出された廃熱は、Ｒａｎｋｉｎｅ  Ｃｙｃｌｅ（スチームエンジン）またはＯｒｇａｎｉｃ  Ｒａｎｋｉｎｅサイクル（ＯＲＣ）のような手段によって、仕事を行うために回収され、使用されてもよい。Ｒａｎｋｉｎｅサイクルでは、熱は液体（ＯＲＣの場合には有機液体）を気化させるために使用され、それは順繰りにタービンを駆動させる。タービンの機械的エネルギーは発電機を駆動させるために使用されてもよく、それは伝熱システムを動かす。
【０１０５】
漏洩の検出方法
本開示は、一実施形態では、１回目に伝熱システムの内部で伝熱組成物の圧力を測定する工程と、１回目より後の２回目に伝熱組成物の圧力を測定する工程と、１回目に測定された圧力を２回目に測定された圧力と比較する工程とを含む、伝熱システムにおける漏洩の検出方法であって、１回目から２回目への圧力の降下が漏洩を指示する方法を提供する。
【０１０６】
測定デバイスは、伝熱組成物が最初に装入されたとき、システムが動作しつつあるとき、システムが動作していないとき、および伝熱組成物がシステムから漏洩しつつあるときの状況について伝熱システムにおいて内部で見いだされる圧力の典型的な範囲で正確な読みを提供しなければならない。典型的には、これらの異なる状況中の圧力範囲は、ゼロｐｓｉ（０ｋＰａ）〜約２００ｐｓｉ（約１４００ｋＰａ）であろう。
【０１０７】
一実施形態では、本発明の漏洩検出方法は、上に記載されたような移動式伝熱システムで有用であるかもしれない。別の実施形態では、上に記載されたような複合一貫輸送システムは、本発明の漏洩の検出方法に含められる。別の実施形態では、本発明の漏洩検出方法は、上に記載されたような、固定式伝熱システムにおいて有用であるかもしれない。
【実施例】
【０１０８】
実施例１  漏洩中の圧力変化
容器に初期組成物を２３℃の温度で（自動車エアコンシステムの典型的な装入に相当する）１５％満杯まで装入し、組成物の初期蒸気圧を測定する。温度を一定に保持しながら、組成物を容器から漏洩させる。容器に残る組成物の蒸気圧を、（漏洩させられる元の組成物のパーセントとして）漏洩の異なるレベルで測定する。蒸気圧を約１３％、２０％、および３０％漏洩で測定し、表４に示す。
【０１０９】
【表１１】
2010530952.tif 000013
【０１１０】
表に示される測定可能な圧力変化は、冷媒の最小損失後に伝熱システムにおける漏洩を検出するための手段を提供する。ちなみに、純ＨＦＣ−１３４ａは、装入物のほとんどが漏洩してしまうまで漏洩中のシステム内で一定の圧力を維持するだろう。
【０１１１】
実施例２  漏洩中の圧力変化
容器に初期組成物を２３℃の温度で９０％満杯まで装入し、組成物の初期蒸気圧を測定する。温度を一定に保持しながら、組成物を容器から漏洩させる。容器に残る組成物の蒸気圧を、（漏洩させられる元の組成物のパーセントとして）漏洩の異なるレベルで測定する。蒸気圧を約１０％、２０％、および３０％漏洩で測定し、表５に示す。
【０１１２】
【表１２】
2010530952.tif 000014
【０１１３】
表に示される測定可能な圧力変化は、冷媒の最小損失後に伝熱システムにおける漏洩を検出するための手段を提供する。ちなみに、純ＨＦＣ−１３４ａは、装入物のほとんどが漏洩してしまうまで漏洩中のシステム内で一定の圧力を維持するだろう。
【０１１４】
実施例３  漏洩中の圧力変化
容器に初期組成物を２３℃の温度で９０％満杯まで装入し、組成物の初期蒸気圧を測定する。温度を一定に保持しながら、組成物を容器から漏洩させる。容器に残る組成物の蒸気圧を、（漏洩させられる元の組成物のパーセントとして）漏洩の異なるレベルで測定する。蒸気圧を約１０％、２０％、および３０％漏洩で測定し、表５に示す。
【０１１５】
【表１３】
2010530952.tif 000015
【０１１６】
表に示される測定可能な圧力変化は、冷媒の最小損失後に伝熱システムにおける漏洩を検出するための手段を提供する。ちなみに、純ＨＦＣ−１３４ａは、装入物のほとんどが漏洩してしまうまで漏洩中のシステム内で一定の圧力を維持するだろう。
【０１１７】
多くの態様および実施形態が上に記載されてきたが、それらは例示的なものであるにすぎず、限定的なものではない。本明細書を読んだ後に、当業者は、他の態様および実施形態が本発明の範囲から逸脱することなく可能であることを十分に理解する。
【図１】
2010530952.tif 000016
【国際調査報告】
2010530952.tif 000017
2010530952.tif 000018
2010530952.tif 000019